(57)【特許請求の範囲】
【請求項１】
無線通信システムにおいて端末が物理アップリンク制御チャネル（ＰＵＣＣＨ）を通じて制御情報を伝送する方法であって、
複数の制御情報をコーディングしてコードワードを獲得し、
前記コードワードから複数の変調シンボルを含む第１変調シンボル列を獲得し、
第１及び第２の複数の第２変調シンボル列の各列を巡回シフトして複数の第３変調シンボル列を獲得し、
前記第１の複数の第２変調シンボル列の各列は前記ＰＵＣＣＨ内の第１スロットに対応し、前記第１変調シンボル列の第１の半分を含み、前記第２の複数の第２変調シンボル列の各列は前記ＰＵＣＣＨ内の第２スロットに対応し、前記第１変調シンボル列の第２の半分を含み、
前記複数の第３変調シンボル列の各列に対してＤＦＴ（Ｄｉｓｃｒｅｔｅ  Ｆｏｕｒｉｅｒ  Ｔｒａｎｓｆｏｒｍ）プリコーディングを行って複数の複素シンボル列を獲得し、
前記複数の複素シンボル列の各列を前記ＰＵＣＣＨのそれぞれの単一搬送波周波数分割多元接続（ＳＣ−ＦＤＭＡ）シンボルを通じて伝送すること、
を含み、
第１の直交コードの各要素は前記ＰＵＣＣＨの第１のスロット内のそれぞれのＳＣ−ＦＤＭＡシンボルに多重化され、第２の直交コードの各要素は前記ＰＵＣＣＨの第２のスロット内のそれぞれのＳＣ−ＦＤＭＡシンボルに多重化される、制御情報伝送方法。
【請求項２】
それぞれの第２変調シンボル列ごとに異なる巡回シフト値が適用される、請求項１に記載の制御情報伝送方法。
【請求項３】
それぞれの第２変調シンボル列に適用される巡回シフト値は、前記第２変調シンボル列が対応するＳＣ−ＦＤＭＡシンボルによって変わる、請求項１に記載の制御情報伝送方法。
【請求項４】
それぞれの第２変調シンボル列に適用される巡回シフト値は、前記第２変調シンボル列が対応するスロットによってさらに変わる、請求項１に記載の制御情報伝送方法。
【請求項５】
それぞれの第２変調シンボル列に適用される巡回シフト値は、セル特定巡回シフト値を用いて決定される、請求項１に記載の制御情報伝送方法。
【請求項６】
前記セル特定シフト値は、下記の式を用いて得られることを特徴とし、
【数１】
0005973353.tif 000138
ここで、
【数２】
0005973353.tif 000139
はセル特定巡回シフト値であり、ｃ（）は、擬似ランダムシーケンス生成関数であり、
【数３】
0005973353.tif 000140
は、スロット内のＳＣ−ＦＤＭＡシンボルの個数であり、ｎsは、スロットインデックスであり、ｌは、ＳＣ−ＦＤＭＡシンボルインデックスである、請求項５に記載の制御情報伝送方法。
【請求項７】
無線通信システムにおいて物理アップリンク制御チャネル（ＰＵＣＣＨ）を通じて制御情報を伝送するように構成された端末であって、
ＲＦ（Ｒａｄｉｏ  Ｆｒｅｑｕｅｎｃｙ）ユニットと、
プロセッサと、を備え、
前記プロセッサは、複数の制御情報をコーディングしてコードワードを獲得し、前記コードワードから複数の変調シンボルを含む第１変調シンボル列を獲得し、
第１及び第２の複数の第２変調シンボル列の各列を巡回シフトして複数の第３変調シンボル列を獲得し、
前記第１の複数の第２変調シンボル列の各列は前記ＰＵＣＣＨ内の第１スロットに対応し、前記第１変調シンボル列の第１の半分を含み、前記第２の複数の第２変調シンボル列の各列は前記ＰＵＣＣＨ内の第２スロットに対応し、前記第１変調シンボル列の第２の半分を含み、
前記複数の第３変調シンボル列の各列に対してＤＦＴ（Ｄｉｓｃｒｅｔｅ  Ｆｏｕｒｉｅｒ  Ｔｒａｎｓｆｏｒｍ）プリコーディングを行って複数の複素シンボル列を獲得し、前記複数の複素シンボル列の各列を前記ＰＵＣＣＨのそれぞれの単一搬送波周波数分割多元接続（ＳＣ−ＦＤＭＡ）シンボルを通じて伝送するように構成され、
第１の直交コードの各要素は前記ＰＵＣＣＨの第１のスロット内のそれぞれのＳＣ−ＦＤＭＡシンボルに多重化され、第２の直交コードの各要素は前記ＰＵＣＣＨの第２のスロット内のそれぞれのＳＣ−ＦＤＭＡシンボルに多重化される、端末。
【請求項８】
それぞれの第２変調シンボル列ごとに異なる巡回シフト値が適用される、請求項７に記載の端末。
【請求項９】
それぞれの第２変調シンボル列に適用される巡回シフト値は、前記第２変調シンボル列が対応するＳＣ−ＦＤＭＡシンボルによって変わる、請求項７に記載の端末。
【請求項１０】
それぞれの第２変調シンボル列に適用される巡回シフト値は、前記第２変調シンボル列が対応するスロットによってさらに変わる、請求項７に記載の端末。
【請求項１１】
それぞれの第２変調シンボル列に適用される巡回シフト値は、セル特定巡回シフト値を用いて決定される、請求項７に記載の端末。
【請求項１２】
前記セル特定シフト値は、下記の式を用いて得られることを特徴とし、
【数４】
0005973353.tif 000141
ここで、
【数５】
0005973353.tif 000142
はセル特定巡回シフト値であり、ｃ（）は、擬似ランダムシーケンス生成関数であり、
【数６】
0005973353.tif 000143
は、スロット内のＳＣ−ＦＤＭＡシンボルの個数であり、ｎsは、スロットインデックスであり、ｌは、ＳＣ−ＦＤＭＡシンボルインデックスである、請求項１１に記載の端末。
【発明の詳細な説明】
【技術分野】
【０００１】
本発明は、無線通信システムに係り、特に、制御情報を伝送する方法及び装置に関する。無線通信システムは、キャリアアグリゲーション（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムは、可用システムリソース（帯域幅、伝送パワーなど）を共有してマルチユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を效率よく伝送する方法及びそのための装置を提供することにある。本発明の他の目的は、制御情報を效率よく伝送するためのチャネルフォーマット、信号処理、及びそのための装置を提供することにある。本発明のさらに他の目的は、制御情報を伝送するためのリソースを效率よく割り当てる方法及びそのための装置を提供することにある。
【０００４】
本発明で達成しようとする技術的課題は、以上に言及している技術的課題に制限されるものではなく、言及していない他の技術的課題は、以下の記載から、本発明の属する技術分野における通常の知識を有する者には明らかになるであろう。
【課題を解決するための手段】
【０００５】
本発明の一態様として、無線通信システムにおいて端末がＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送する方法において、複数の制御情報をジョイントコーディングして単一コードワードを獲得し、前記単一コードワードから第１変調シンボル列を獲得し、前記第１変調シンボル列から、前記ＰＵＣＣＨ内の各スロットに対応する複数の第２変調シンボル列を獲得し、前記複数の第２変調シンボル列を時間領域で巡回シフトして複数の第３変調シンボル列を獲得し、前記複数の第３変調シンボル列に対してＤＦＴ（Ｄｉｓｃｒｅｔｅ  Ｆｏｕｒｉｅｒ  Ｔｒａｎｓｆｏｒｍ）プリコーディングを行って周波数領域で複数の複素シンボル列を獲得し、前記複数の複素シンボル列を前記ＰＵＣＣＨを通じて伝送すること、を含む、制御情報伝送方法が提供される。
【０００６】
本発明の他の態様として、無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送するように構成された端末において、ＲＦ（Ｒａｄｉｏ  Ｆｒｅｑｕｅｎｃｙ）ユニットと、プロセッサと、を備え、前記プロセッサは、複数の制御情報をジョイントコーディングして単一コードワードを獲得し、前記単一コードワードから第１変調シンボル列を獲得し、前記第１変調シンボル列から、前記ＰＵＣＣＨ内の各スロットに対応する複数の第２変調シンボル列を獲得し、前記複数の第２変調シンボル列を時間領域で巡回シフトして複数の第３変調シンボル列を獲得し、前記複数の第３変調シンボル列に対してＤＦＴ（Ｄｉｓｃｒｅｔｅ  Ｆｏｕｒｉｅｒ  Ｔｒａｎｓｆｏｒｍ）プリコーディングを行って周波数領域で複数の複素シンボル列を獲得し、前記複数の複素シンボル列を前記ＰＵＣＣＨを通じて伝送するように構成された、端末が提供される。
【０００７】
ここで、前記複数の第２変調シンボル列を得る演算は、前記第１変調シンボル列から前記ＰＵＣＣＨ内の各スロットに対応するように分周された各変調シンボルを、該当のスロット内の複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散し、スロット別に前記複数のＳＣ−ＦＤＭＡシンボルに対応する複数の拡散された第２変調シンボル列を得ることを含む。
【０００８】
ここで、それぞれの第２変調シンボル列ごとに異なる巡回シフト値が適用されるとよい。
【０００９】
ここで、それぞれの第２変調シンボル列に適用される巡回シフト値は、前記第２変調シンボル列が対応するＳＣ−ＦＤＭＡシンボルによって変わるとよい。
【００１０】
ここで、それぞれの第２変調シンボル列に適用される巡回シフト値は、前記第２変調シンボル列が対応するスロットによってさらに変わるとよい。
【００１１】
ここで、それぞれの第２変調シンボル列に適用される巡回シフト値は、セル特定巡回シフト値を用いて決定されるとよい。この場合、前記セル特定シフト値は、下記の式を用いて得られるとよい。
【００１２】
【数１】
0005973353.tif 000002
【００１３】
ここで、
【数２】
0005973353.tif 000003
はセル特定巡回シフト値であり、ｃ（）は、擬似ランダムシーケンス生成関数であり、
【数３】
0005973353.tif 000004
は、スロット内のＳＣ−ＦＤＭＡシンボルの個数であり、ｎsは、スロットインデックスであり、ｌは、ＳＣ−ＦＤＭＡシンボルインデックスである。
【００１４】
本発明のさらに他の態様として、無線通信システムにおいて端末がＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送する方法において、複数の制御情報をジョイントコーディングして単一コードワードを獲得し、前記単一コードワードから、スクランブルされたコードワードを獲得し、前記スクランブルされたコードワードから、第１変調シンボル列を獲得し、前記第１変調シンボル列から、前記ＰＵＣＣＨ内の各スロットに対応する複数の第２変調シンボル列を獲得し、前記複数の第２変調シンボル列に対してＤＦＴ（Ｄｉｓｃｒｅｔｅ  Ｆｏｕｒｉｅｒ  Ｔｒａｎｓｆｏｒｍ）プリコーディングを行って複数の複素シンボル列を獲得し、前記複数の複素シンボル列を前記ＰＵＣＣＨを通じて伝送することを含む、制御情報伝送方法が提供される。
【００１５】
本発明のさらに他の態様として、無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送するように構成された端末において、ＲＦ（Ｒａｄｉｏ  Ｆｒｅｑｕｅｎｃｙ）ユニットと、プロセッサと、を備え、前記プロセッサは、複数の制御情報をジョイントコーディングして単一コードワードを獲得し、前記単一コードワードから、スクランブルされたコードワードを獲得し、前記スクランブルされたコードワードから第１変調シンボル列を獲得し、前記第１変調シンボル列から、前記ＰＵＣＣＨ内の各スロットに対応する複数の第２変調シンボル列を獲得し、前記複数の第２変調シンボル列に対してＤＦＴ（Ｄｉｓｃｒｅｔｅ  Ｆｏｕｒｉｅｒ  Ｔｒａｎｓｆｏｒｍ）プリコーディングを行って複数の複素シンボル列を獲得し、前記複数の複素シンボル列を前記ＰＵＣＣＨを通じて伝送するように構成された、端末が提供される。
【００１６】
ここで、前記複数の第２変調シンボル列を得る演算は、前記第１変調シンボル列から前記ＰＵＣＣＨ内の各スロットに対応するように分周された各変調シンボルを、該当のスロット内の複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散し、スロット別に前記複数のＳＣ−ＦＤＭＡシンボルに対応する複数の拡散された第２変調シンボル列を得ることを含む。
【００１７】
ここで、前記スクランブルされたコードワードは、端末特定スクランブルコードを用いて得られるとよい。この場合、前記端末特定スクランブルコードは、下記の値を初期値にして生成されるとよい。
【００１８】
【数４】
0005973353.tif 000005
【００１９】
ここで、ｎsは、スロットインデックスであり、
【数５】
0005973353.tif 000006
は、セルＩＤを表し、ｎRNTIは、Ｃ-ＲＮＴＩ（Ｃｅｌｌ  ＲＮＴＩ）を表し、
【数６】
0005973353.tif 000007
は、床（ｆｌｏｏｒｉｎｇ）関数を表す。
【発明の効果】
【００２０】
本発明によれば、無線通信システムにおいて制御情報を效率的に伝送することができる。また、制御情報を效率的に伝送するためのチャネルフォーマット、信号処理方法を提供することができる。また、制御情報伝送のためのリソースを效率的に割り当てることができる。
【００２１】
本発明で得られる効果は、以上で言及した効果に制限されず、言及していない他の効果は、以下の記載から、本発明の属する技術分野における通常の知識を有する者には明確に理解されるであろう。
【図面の簡単な説明】
【００２２】
本発明に関する理解を助けるために詳細な説明の一部として含まれる添付図面は、本発明に係る実施例を提供し、詳細な説明と共に本発明の技術的思想を説明する。
【図１】無線通信システムの一例である３ＧＰＰ ＬＴＥシステムに用いられる物理チャネル及びこれらのチャネルを用いた一般的な信号伝送方法を例示する図である。
【図２】アップリンク信号処理手順を例示する図である。
【図３】ダウンリンク信号処理手順を例示する図である。
【図４】ＳＣ−ＦＤＭＡ方式とＯＦＤＭＡ方式を例示する図である。
【図５】単一搬送波特性を満たすための周波数領域上の信号マッピング方式を例示する図である。
【図６】クラスタＳＣ−ＦＤＭＡにおいてＤＦＴ工程出力サンプルが単一キャリアにマッピングされる信号処理手順を例示する図である。
【図７】クラスタＳＣ−ＦＤＭＡにおいてＤＦＴ工程出力サンプルがマルチキャリア（ｍｕｌｔｉ−ｃａｒｒｉｅｒ）にマッピングされる信号処理手順を例示する図である。
【図８】クラスタＳＣ−ＦＤＭＡにおいてＤＦＴ工程出力サンプルがマルチキャリア（ｍｕｌｔｉ−ｃａｒｒｉｅｒ）にマッピングされる信号処理手順を例示する図である。
【図９】セグメントＳＣ−ＦＤＭＡにおける信号処理手順を例示する図である。
【図１０】アップリンクサブフレームの構造を例示する図である。
【図１１】アップリンクで参照信号（Ｒｅｆｅｒｅｎｃｅ  Ｓｉｇｎａｌ：ＲＳ）を伝送するための信号処理手順を例示する図である。
【図１２Ａ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１２Ｂ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１３】ＰＵＣＣＨフォーマット１ａ及び１ｂのスロットレベル構造を例示する図である。
【図１４】ＰＵＣＣＨフォーマット１ａ及び１ｂのスロットレベル構造を例示する図である。
【図１５】ＰＵＣＣＨフォーマット２／２ａ／２ｂのスロットレベル構造を例示する図である。
【図１６】ＰＵＣＣＨフォーマット２／２ａ／２ｂのスロットレベル構造を例示する図である。
【図１７】ＰＵＣＣＨフォーマット１ａ及び１ｂに対するＡＣＫ／ＮＡＣＫチャネル化を例示する図である。
【図１８】同一のＰＲＢ内でＰＵＣＣＨフォーマット１／１ａ／１ｂ及びフォーマット２／２ａ／２ｂの混合構造に対するチャネル化を例示する図である。
【図１９】ＰＵＣＣＨ伝送のためのＰＲＢ割当を例示する図である。
【図２０】基地局でダウンリンクコンポーネントキャリアを管理する概念を例示する図である。
【図２１】端末でアップリンクコンポーネントキャリアを管理する概念を例示する図である。
【図２２】基地局で一つのＭＡＣがマルチキャリアを管理する概念を例示する図である。
【図２３】端末で一つのＭＡＣがマルチキャリアを管理する概念を例示する図である。
【図２４】基地局で複数のＭＡＣがマルチキャリアを管理する概念を例示する図である。
【図２５】端末で複数のＭＡＣがマルチキャリアを管理する概念を例示する図である。
【図２６】基地局で複数のＭＡＣがマルチキャリアを管理する概念を例示する図である。
【図２７】端末で一つ以上のＭＡＣがマルチキャリアを管理する概念を例示する図である。
【図２８】複数のＤＬ ＣＣと１個のＵＬ ＣＣとがリンクされた非対称キャリアアグリゲーションを例示する図である。
【図２９Ａ】本発明の一実施例に係るＰＵＣＣＨフォーマット及びそのための信号処理手順を例示する図である。
【図２９Ｂ】本発明の一実施例に係るＰＵＣＣＨフォーマット及びそのための信号処理手順を例示する図である。
【図２９Ｃ】本発明の一実施例に係るＰＵＣＣＨフォーマット及びそのための信号処理手順を例示する図である。
【図２９Ｄ】本発明の一実施例に係るＰＵＣＣＨフォーマット及びそのための信号処理手順を例示する図である。
【図２９Ｅ】本発明の一実施例に係るＰＵＣＣＨフォーマット及びそのための信号処理手順を例示する図である。
【図２９Ｆ】本発明の一実施例に係るＰＵＣＣＨフォーマット及びそのための信号処理手順を例示する図である。
【図３０】本発明の一実施例に係るＰＵＣＣＨフォーマット及びそのための信号処理手順を例示する図である。
【図３１】本発明の一実施例に係るＰＵＣＣＨフォーマット及びそのための信号処理手順を例示する図である。
【図３２】本発明の一実施例に係るＰＵＣＣＨフォーマット及びそのための信号処理手順を例示する図である。
【図３３】本発明の一実施例に係るＰＵＣＣＨフォーマット及びそのための信号処理手順を例示する図である。
【図３４】本発明の一実施例に係るＰＵＣＣＨフォーマット及びそのための信号処理手順を例示する図である。
【図３５Ａ】本発明の他の実施例に係るＰＵＣＣＨリソースを例示する図である。
【図３５Ｂ】本発明の他の実施例に係るＰＵＣＣＨリソースを例示する図である。
【図３６Ａ】本発明の他の実施例に係るＰＵＣＣＨリソースを例示する図である。
【図３６Ｂ】本発明の他の実施例に係るＰＵＣＣＨリソースを例示する図である。
【図３７Ａ】本発明の他の実施例に係るＰＵＣＣＨリソースを例示する図である。
【図３７Ｂ】本発明の他の実施例に係るＰＵＣＣＨリソースを例示する図である。
【図３８Ａ】本発明の他の実施例に係るＰＵＣＣＨリソースを例示する図である。
【図３８Ｂ】本発明の他の実施例に係るＰＵＣＣＨリソースを例示する図である。
【図３９Ａ】本発明の他の実施例に係るＰＵＣＣＨリソースを例示する図である。
【図３９Ｂ】本発明の他の実施例に係るＰＵＣＣＨリソースを例示する図である。
【図４０Ａ】本発明の他の実施例に係るＰＵＣＣＨリソースを例示する図である。
【図４０Ｂ】本発明の他の実施例に係るＰＵＣＣＨリソースを例示する図である。
【図４１】本発明の他の実施例に係るＰＵＣＣＨリソースを例示する図である。
【図４２Ａ】本発明の他の実施例に係るＰＵＣＣＨリソースを例示する図である。
【図４２Ｂ】本発明の他の実施例に係るＰＵＣＣＨリソースを例示する図である。
【図４２Ｃ】本発明の他の実施例に係るＰＵＣＣＨリソースを例示する図である。
【図４２Ｄ】本発明の他の実施例に係るＰＵＣＣＨリソースを例示する図である。
【図４２Ｅ】本発明の他の実施例に係るＰＵＣＣＨリソースを例示する図である。
【図４２Ｆ】本発明の他の実施例に係るＰＵＣＣＨリソースを例示する図である。
【図４３Ａ】本発明のさらに他の実施例によって多重アンテナを通じてＰＵＣＣＨを伝送するための信号処理手順を例示する図である。
【図４３Ｂ】本発明のさらに他の実施例によって多重アンテナを通じてＰＵＣＣＨを伝送するための信号処理手順を例示する図である。
【図４３Ｃ】本発明のさらに他の実施例によって多重アンテナを通じてＰＵＣＣＨを伝送するための信号処理手順を例示する図である。
【図４４】本発明のさらに他の実施例に係るＰＵＣＣＨフォーマット及びそのための信号処理手順を例示する図である。
【図４５】本発明のさらに他の実施例に係るＰＵＣＣＨリソース割当を例示する図である。
【図４６】本発明のさらに他の実施例に係るＰＵＣＣＨリソース割当を例示する図である。
【図４７】本発明のさらに他の実施例に係るＰＵＣＣＨリソース割当を例示する図である。
【図４８】本発明のさらに他の実施例に係るＰＵＣＣＨリソース割当を例示する図である。
【図４９】本発明のさらに他の実施例に係るＰＵＣＣＨリソース割当を例示する図である。
【図５０】本発明のさらに他の実施例に係るＰＵＣＣＨリソース割当を例示する図である。
【図５１】本発明のさらに他の実施例に係るＰＵＣＣＨリソース割当を例示する図である。
【図５２】本発明のさらに他の実施例に係るＰＵＣＣＨリソース割当を例示する図である。
【図５３】本発明のさらに他の実施例に係るＰＵＣＣＨリソース割当を例示する図である。
【図５４】本発明のさらに他の実施例に係るＰＵＣＣＨリソース割当を例示する図である。
【図５５】本発明のさらに他の実施例に係るＰＵＣＣＨリソース割当を例示する図である。
【図５６】本発明のさらに他の実施例に係るＰＵＣＣＨリソース割当を例示する図である。
【図５７】本発明のさらに他の実施例に係る異種ＰＵＣＣＨフォーマット同士の共存を例示する図である。
【図５８】ａｌｌ−ＤＴＸ検出時に、ＲＳのみを用いた場合、及びＲＳと制御情報とを用いた場合の結果を示す図である。
【図５９】本発明に適用されうる基地局及び端末を例示する図である。
【発明を実施するための形態】
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）として実現されうる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術として実現されうる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術として実現されうる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ ＬＴＥの進展したバージョンである。説明を明確にするために、３ＧＰＰ ＬＴＥ／ＬＴＥ−Ａを中心に説明するが、これに本発明の技術的思想が制限されることはない。
【００２４】
無線通信システムにおいて、端末は基地局からダウンリンク（Ｄｏｗｎｌｉｎｋ：ＤＬ）を通じて情報を受信し、端末は基地局にアップリンク（Ｕｐｌｉｎｋ：ＵＬ）を通じて情報を送信する。基地局と端末が送受信する情報は、データ及び様々な制御情報を含み、これらが送受信する情報の種類／用途に応じて様々な物理チャネルが存在する。
【００２５】
図１は、３ＧＰＰ ＬＴＥシステムに用いられる物理チャネル及びこれらのチャネルを用いた一般的な信号伝送方法を説明するための図である。
【００２６】
電源が切れた状態で再び電源が入ったり、セルに新しく進入したりした端末は、段階Ｓ１０１において、基地局と同期を取る等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を獲得する。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ ＲＳ）を受信して、ダウンリンクチャネル状態を確認することができる。
【００２７】
初期セル探索を終えた端末は、段階Ｓ１０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信して、より具体的なシステム情報を獲得することができる。
【００２８】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じてプリアンブルを送信し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースランダムアクセスの場合は、追加の物理ランダムアクセスチャネルの送信（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２９】
以上の手順を行った端末は、以降、一般的なアップリンク／ダウンリンク信号伝送手順として、物理ダウンリンク制御チャネル／物理ダウンリンク共有チャネルの受信（Ｓ１０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の送信（Ｓ１０８）を行うことができる。端末が基地局に伝送する制御情報を総称してアップリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）などを含む。ＵＣＩは、主に、ＰＵＣＣＨを通じて伝送されるが、制御情報とトラフィックデータが同時に伝送されるべき場合は、ＰＵＳＣＨを通じて伝送されてもよい。また、ネットワークの要求／指示によってＰＵＳＣＨを通じてＵＣＩを非周期的に伝送することもある。
【００３０】
図２は、端末がアップリンク信号を伝送するための信号処理手順を説明するための図である。
【００３１】
アップリンク信号を伝送するために、端末は、スクランブリング（ｓｃｒａｍｂｌｉｎｇ）モジュール２０１で端末特定スクランブル信号を用いて伝送信号をスクランブルすることができる。スクランブルされた信号は変調マッパー２０２に入力され、伝送信号の種類及び／またはチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）または１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルを、変換プリコーダ２０３で処理した後に、リソース要素マッパー２０４に入力し、リソース要素マッパー２０４は、複素シンボルを時間−周波数リソース要素にマッピングすることができる。このように処理した信号は、ＳＣ−ＦＤＭＡ信号生成器２０５を経てアンテナから基地局に伝送することができる。
【００３２】
図３は、基地局がダウンリンク信号を伝送するための信号処理手順を説明するための図である。
【００３３】
３ＧＰＰ ＬＴＥシステムにおいて、基地局は、ダウンリンクで一つ以上のコードワード（ｃｏｄｅｗｏｒｄ）を伝送することができる。コードワードはそれぞれ、図２のアップリンクと同様、スクランブルモジュール３０１及び変調マッパー３０２を通じて複素シンボルとすることができる。その後、複素シンボルを、レイヤマッパー３０３により複数のレイヤ（Ｌａｙｅｒ）にマッピングし、プリコーディングモジュール３０４で各レイヤにプリコーディング行列を乗じて、各送信アンテナに割り当てることができる。このように処理した各アンテナ別伝送信号のそれぞれを、リソース要素マッパー３０５で時間−周波数リソース要素にマッピングし、以降、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナから伝送することができる。
【００３４】
無線通信システムにおいて端末がアップリンクで信号を伝送する場合は、基地局がダウンリンクで信号を伝送する場合に比べて、ＰＡＲ（Ｐｅａｋ−ｔｏ−Ａｖｅｒａｇｅ  Ｒａｔｉｏ）が問題となる。そのため、図２及び図３で説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００３５】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する。
【００３６】
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー４０３、Ｍ−ポイントＩＤＦＴモジュール４０４及びＣＰ（Ｃｙｃｌｉｃ  Ｐｒｅｆｉｘ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理影響を一定部分打ち消すことによって、伝送信号が単一搬送波特性（ｓｉｎｇｌｅ  ｃａｒｒｉｅｒ  ｐｒｏｐｅｒｔｙ）を持つようにする。
【００３７】
図５は、周波数領域で単一搬送波特性を満たすための周波数領域上の信号マッピング方式を説明する図である。図５の（ａ）は、ローカル型マッピング（ｌｏｃａｌｉｚｅｄ  ｍａｐｐｉｎｇ）方式を示し、図５の（ｂ）は、分散型マッピング（ｄｉｓｔｒｉｂｕｔｅｄ  ｍａｐｐｉｎｇ）方式を示す。
【００３８】
ＳＣ−ＦＤＭＡの修正された形態であるクラスタ（ｃｌｕｓｔｅｒｅｄ）ＳＣ−ＦＤＭＡについて説明する。クラスタＳＣ−ＦＤＭＡは、副搬送波マッピング工程でＤＦＴ工程出力サンプルをサブグループ（ｓｕｂ−ｇｒｏｕｐ）に分け、これらを周波数領域（あるいは副搬送波領域）に不連続的にマッピングする。
【００３９】
図６は、クラスタＳＣ−ＦＤＭＡにおいてＤＦＴ工程出力サンプルが単一キャリアにマッピングされる信号処理手順を示す図である。図７及び図８は、クラスタＳＣ−ＦＤＭＡにおいてＤＦＴ工程出力サンプルがマルチキャリア（ｍｕｌｔｉ−ｃａｒｒｉｅｒ）にマッピングされる信号処理手順を示す図である。図６は、イントラキャリア（ｉｎｔｒａ−ｃａｒｒｉｅｒ）クラスタＳＣ−ＦＤＭＡを適用する例であり、図７及び図８は、インターキャリア（ｉｎｔｅｒ−ｃａｒｒｉｅｒ）クラスタＳＣ−ＦＤＭＡを適用する例に該当する。図７は、周波数領域で連続的（ｃｏｎｔｉｇｕｏｕｓ）にコンポーネントキャリア（ｃｏｍｐｏｎｅｎｔ  ｃａｒｒｉｅｒ）が割り当てられた状況において、隣接したコンポーネントキャリア間の副搬送波の間隔（ｓｐａｃｉｎｇ）が整列された場合に、単一のＩＦＦＴブロックを通じて信号を生成する例を示す。図８は、周波数領域で非連続的（ｎｏｎ−ｃｏｎｔｉｇｕｏｕｓ）にコンポーネントキャリアが割り当てられた状況において複数のＩＦＦＴブロックを通じて信号を生成する場合を示す。
【００４０】
図９は、セグメント（ｓｅｇｍｅｎｔｅｄ）ＳＣ−ＦＤＭＡの信号処理手順を示す図である。
【００４１】
セグメントＳＣ−ＦＤＭＡは、任意個数のＤＦＴと同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡまたはＮｘＤＦＴ−ｓ−ＯＦＤＭＡとも表現される。これらを包括して本明細書ではセグメントＳＣ−ＦＤＭＡと呼ぶ。図９を参照すると、セグメントＳＣ−ＦＤＭＡは、単一搬送波特性条件を緩和するために、全体時間領域変調シンボルを、Ｎ（Ｎは、１より大きい整数）個のグループにし、グループ単位にＤＦＴ工程を行う。
【００４２】
図１０は、アップリンクサブフレームの構造を示す図である。
【００４３】
図１０を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる数のＳＣ−ＦＤＭＡシンボルを有することができる。一例として、一般（ｎｏｒｍａｌ）ＣＰの場合は、スロットは７個のＳＣ−ＦＤＭＡシンボルを有することができる。アップリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数領域においてデータ領域の両端部に位置しているＲＢ対（ＲＢ  ｐａｉｒ）（例、ｍ＝０，１，２，３）（例、周波数反射（ｆｒｅｑｕｅｎｃｙ  ｍｉｒｒｏｒｅｄ）された位置の７つのＲＢ対）を含み、スロットを境界にホッピングする。アップリンク制御情報（すなわち、ＵＣＩ）は、ＨＡＲＱ ＡＣＫ／ＮＡＣＫ、ＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００４４】
図１１は、アップリンクで参照信号を伝送するための信号処理手順を説明するための図である。データは、ＤＦＴプリコーダを通じて周波数領域信号に変換された後、周波数マッピング後にＩＦＦＴを通じて伝送されるのに比べて、ＲＳは、ＤＦＴプリコーダを経ることが省かれる。すなわち、周波数領域でＲＳシーケンスが直接生成（Ｓ１１）された後に、ローカル化マッピング（Ｓ１２）、ＩＦＦＴ工程（Ｓ１３）及びＣＰ（Ｃｙｃｌｉｃ  Ｐｒｅｆｉｘ）付加工程（Ｓ１４）を順次経てＲＳが伝送される。
【００４５】
ＲＳシーケンス
【数７】
0005973353.tif 000008
は、基本シーケンス（ｂａｓｅ  ｓｅｑｕｅｎｃｅ）の巡回シフト（ｃｙｃｌｉｃ  ｓｈｉｆｔ）αにより定義され、式１のように表現できる。
【００４６】
【数８】
0005973353.tif 000009
【００４７】
ここで、
【数９】
0005973353.tif 000010
は、ＲＳシーケンスの長さであり、
【数１０】
0005973353.tif 000011
は、副搬送波単位で表したリソースブロックのサイズであり、ｍは、
【数１１】
0005973353.tif 000012
である。
【数１２】
0005973353.tif 000013
は、最大アップリンク伝送帯域を表す。
【００４８】
基本シーケンスである
【数１３】
0005973353.tif 000014
は、いくつかのグループに分けられる。ｕ∈｛０，１，…，２９｝は、グループ番号を表し、ｖは、該当のグループの基本シーケンス番号に該当する。各グループは、長さが
【数１４】
0005973353.tif 000015
（１≦ｍ≦５）である１つの基本シーケンス（ｖ＝０）と、長さが
【数１５】
0005973353.tif 000016
（６≦ｍ≦
【数１６】
0005973353.tif 000017
）である２つの基本シーケンス（ｖ＝０，１）を含む。該当グループ内でシーケンスグループ番号ｕと該当の番号ｖは、時間によってそれぞれ変わることがある。基本シーケンス
【数１７】
0005973353.tif 000018
の定義は、シーケンス長
【数１８】
0005973353.tif 000019
による。
【００４９】
【数１９】
0005973353.tif 000020
以上の長さを有する基本シーケンスは、下記のように定義することができる。
【００５０】
【数２０】
0005973353.tif 000021
について、基本シーケンス
【数２１】
0005973353.tif 000022
は下記の式２で与えられる。
【００５１】
【数２２】
0005973353.tif 000023
【００５２】
ここで、ｑ番目のルートＺａｄｏｆｆ−Ｃｈｕシーケンスは、下記の式３により定義できる。
【００５３】
【数２３】
0005973353.tif 000024
【００５４】
ここで、ｑは、下記の式４を満たす。
【００５５】
【数２４】
0005973353.tif 000025
【００５６】
ここで、Ｚａｄｏｆｆ−Ｃｈｕシーケンスの長さ
【数２５】
0005973353.tif 000026
は、最大の素数により与えられ、よって、
【数２６】
0005973353.tif 000027
を満たす。
【００５７】
【数２７】
0005973353.tif 000028
未満の長さを有する基本シーケンスは、下記のように定義できる。まず、
【数２８】
0005973353.tif 000029
と
【数２９】
0005973353.tif 000030
に対して基本シーケンスは式５のように与えられる。
【００５８】
【数３０】
0005973353.tif 000031
【００５９】
ここで、
【数３１】
0005973353.tif 000032
と
【数３２】
0005973353.tif 000033
に対するφ（ｎ）の値は、下記の表１及び表２でそれぞれ与えられる。
【００６０】
【表１】
0005973353.tif 000034
【００６１】
【表２】
0005973353.tif 000035
【００６２】
一方、ＲＳホッピングについて説明すると、下記のとおりである。
【００６３】
グループホッピングパターンｆgh（ｎs）とシーケンスシフト（ｓｅｑｕｅｎｃｅ  ｓｈｉｆｔ）パターンｆssによって、スロットｎsでシーケンスグループ番号ｕは、下記の式６のように定義することができる。
【００６４】
【数３３】
0005973353.tif 000036
【００６５】
ここで、ｍｏｄは、モジュロ（ｍｏｄｕｌｏ）演算を表す。
【００６６】
１７個の互いに異なるホッピングパターンと３０個の互いに異なるシーケンスシフトパターンが存在する。上位層により提供され、グループホッピングを可能にするパラメータによってシーケンスグループホッピングが可能（ｅｎａｂｌｅｄ）または不可能（ｄｉｓａｂｌｅｄ）になる。
【００６７】
ＰＵＣＣＨとＰＵＳＣＨとは、同じホッピングパターンを有するが、互いに異なるシーケンスシフトパターンを有することができる。
【００６８】
グループホッピングパターンｆgh（ｎs）は、ＰＵＳＣＨとＰＵＣＣＨに対して同一であり、下記の式７のように与えられる。
【００６９】
【数３４】
0005973353.tif 000037
【００７０】
ここで、ｃ（ｉ）は、擬似ランダム（ｐｓｅｕｄｏ−ｒａｎｄｏｍ）シーケンスに該当し、擬似ランダムシーケンス生成器は、各無線フレームの開始において
【数３５】
0005973353.tif 000038
で初期化することができる。
【００７１】
シーケンスシフトパターンｆssの定義は、ＰＵＣＣＨ及びＰＵＳＣＨにおいて互いに異なる。
【００７２】
ＰＵＣＣＨに対して、シーケンスシフトパターン
【数３６】
0005973353.tif 000039
は
【数３７】
0005973353.tif 000040
で与えられ、ＰＵＳＣＨに対して、シーケンスシフトパターン
【数３８】
0005973353.tif 000041
は
【数３９】
0005973353.tif 000042
で与えられる。Δss∈｛０，１，…，２９｝は上位層により構成される。
【００７３】
以下、シーケンスホッピングについて説明する。
【００７４】
シーケンスホッピングは、長さが
【数４０】
0005973353.tif 000043
である基準信号にのみ適用される。
【００７５】
長さが
【数４１】
0005973353.tif 000044
である基準信号に対して、基本シーケンスグループ内で基本シーケンス番号ｖがｖ＝０と与えられる。
【００７６】
長さが
【数４２】
0005973353.tif 000045
である基準信号に対して、スロットｎsにおいて基本シーケンスグループ内で基本シーケンス番号ｖは、下記の式８のように与えられる。
【００７７】
【数４３】
0005973353.tif 000046
【００７８】
ここで、ｃ（ｉ）は、擬似ランダムシーケンスに該当し、上位層により提供されるシーケンスホッピングを可能に（ｅｎａｂｌｅｄ）するパラメータは、シーケンスホッピングが可能か否かを決定する。擬似ランダムシーケンス生成器は、無線フレームの開始において
【数４４】
0005973353.tif 000047
で初期化することができる。
【００７９】
ＰＵＳＣＨに対する基準信号は、下記のように決定される。
【００８０】
ＰＵＳＣＨに対する基準信号シーケンスｒPUSCH（・）は、
【数４５】
0005973353.tif 000048
と定義される。ｍとｎは
【数４６】
0005973353.tif 000049
を満たし、かつ
【数４７】
0005973353.tif 000050
を満たす。
【００８１】
一つのスロットにおいて、巡回シフトは、
【数４８】
0005973353.tif 000051
とともにα＝２  ｎcs／１２と与えられる。
【００８２】
【数４９】
0005973353.tif 000052
は放送される値であり、
【数５０】
0005973353.tif 000053
は、アップリンクスケジューリング割当により与えられ、ｎPRS（ｎs）は、セル特定巡回シフト値である。ｎPRS（ｎs）はスロット番号ｎsによって変わり、
【数５１】
0005973353.tif 000054
のように与えられる。
【００８３】
ｃ（ｉ）は、擬似ランダムシーケンスであり、ｃ（ｉ）はセル特定値である。擬似ランダムシーケンス生成器は、無線フレームの開始において
【数５２】
0005973353.tif 000055
で初期化することができる。
【００８４】
表３は、ＤＣＩ（Ｄｏｗｎｌｉｎｋ  Ｃｏｎｔｒｏｌ  Ｉｎｆｏｒｍａｔｉｏｎ）フォーマット０において巡回シフトフィールドと
【数５３】
0005973353.tif 000056
を示すものである。
【００８５】
【表３】
0005973353.tif 000057
【００８６】
ＰＵＳＣＨにおいてアップリンクＲＳのための物理的マッピング方法は、下記のとおりである。
【００８７】
シーケンスは、振幅スケーリング要素（ａｍｐｌｉｔｕｄｅ  ｓｃａｌｉｎｇ  ｆａｃｔｏｒ）βPUSCHを乗じられ、ｒPUSCH（０）から始まるシーケンス内で対応するＰＵＳＣＨのために用いられる物理リソースブロック（Ｐｈｙｓｉｃａｌ  Ｒｅｓｏｕｒｃｅ  Ｂｌｏｃｋ:ＰＲＢ）の同一のセットにマッピングされる。標準ＣＰについてはｌ＝３、拡張ＣＰについてはｌ＝２としてサブフレーム内でリソース要素（ｋ，ｌ）にマッピングすることは、まずｋの次数が増加してから、スロット番号が増加する。
【００８８】
要するに、長さが
【数５４】
0005973353.tif 000058
以上であれば、巡回拡張と共にＺＣシーケンスが用いられ、長さが
【数５５】
0005973353.tif 000059
未満であれば、コンピュータ生成シーケンスが用いられる。巡回シフトは、セル特定巡回シフト、端末特定巡回シフト及びホッピングパターンなどによって決定される。
【００８９】
図１２Ａは、標準ＣＰ（ｎｏｒｍａｌ  ＣＰ）の場合にＰＵＳＣＨのためのＤＭＲＳ（ｄｅｍｏｄｕｌａｔｉｏｎ  ｒｅｆｅｒｅｎｃｅ  ｓｉｇｎａｌ）構造を示す図であり、図１２Ｂは、拡張ＣＰ（ｅｘｔｅｎｄｅｄ  ＣＰ）の場合にＰＵＳＣＨのためのＤＭＲＳ構造を示す図である。図１２Ａでは、４番目と１１番目のＳＣ−ＦＤＭＡシンボルを通じてＤＭＲＳが伝送され、図１２Ｂでは、３番目と９番目のＳＣ−ＦＤＭＡシンボルを通じてＤＭＲＳが伝送される。
【００９０】
図１３乃至図１６は、ＰＵＣＣＨフォーマットのスロットレベル構造を示す例である。ＰＵＣＣＨは、制御情報を伝送するために下記の形式を含む。
（１）フォーマット（Ｆｏｒｍａｔ）１：オン−オフキーイング（Ｏｎ−Ｏｆｆ  ｋｅｙｉｎｇ）（ＯＯＫ）変調、スケジューリング要求（Ｓｃｈｅｄｕｌｉｎｇ  Ｒｅｑｕｅｓｔ：ＳＲ）に使用
（２）フォーマット１ａとフォーマット１ｂ：ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）フォーマット１ａ：１個のコードワードに対するＢＰＳＫ ＡＣＫ／ＮＡＣＫ
２）フォーマット１ｂ：２個のコードワードに対するＱＰＳＫ ＡＣＫ／ＮＡＣＫ
（３）フォーマット２：ＱＰＳＫ変調、ＣＱＩ伝送に使用
（４）フォーマット２ａとフォーマット２ｂ：ＣＱＩとＡＣＫ／ＮＡＣＫの同時伝送に使用
【００９１】
表４は、ＰＵＣＣＨフォーマットによる変調方式、及びサブフレーム当たりのビット数を表す。表５は、ＰＵＣＣＨフォーマットによるスロット当たりのＲＳの個数を表す。表６は、ＰＵＣＣＨフォーマットによるＲＳのＳＣ−ＦＤＭＡシンボル位置を表すものである。表４で、ＰＵＣＣＨフォーマット２ａと２ｂは、標準ＣＰの場合に該当する。
【００９２】
【表４】
0005973353.tif 000060
【００９３】
【表５】
0005973353.tif 000061
【００９４】
【表６】
0005973353.tif 000062
【００９５】
図１３は、標準ＣＰの場合におけるＰＵＣＣＨフォーマット１ａ及び１ｂを示す。図１４は、拡張ＣＰの場合におけるＰＵＣＣＨフォーマット１ａ及び１ｂを示す。ＰＵＣＣＨフォーマット１ａ及び１ｂは、同じ内容の制御情報がサブフレーム内でスロット単位に反復される。各端末から、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数領域コード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間領域拡散コード）とから構成された互いに異なるリソースを通じて伝送される。ＯＣは、例えば、ウォルシュ（Ｗａｌｓｈ）／ＤＦＴ直交コードを含む。ＣＳの個数が６であり、ＯＣの個数が３であれば、単一アンテナを基準に、全１８個の端末が同一のＰＲＢ（Ｐｈｙｓｉｃａｌ  Ｒｅｓｏｕｒｃｅ  Ｂｌｏｃｋ）内で多重化されることが可能である。直交シーケンスｗ０、ｗ１、ｗ２、ｗ３は、（ＦＦＴ変調後に）任意の時間領域で、または（ＦＦＴ変調前に）任意の周波数領域で適用されるとよい。
【００９６】
ＳＲ及び持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を通じて端末に与えることができる。動的ＡＣＫ／ＮＡＣＫ及び非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースを、ＰＤＳＣＨに対応するＰＤＣＣＨの最小（ｌｏｗｅｓｔ）のＣＣＥインデックスによって暗黙的に（ｉｍｐｌｉｃｉｔｌｙ）端末に与えることができる。
【００９７】
図１５には、標準ＣＰの場合におけるＰＵＣＣＨフォーマット２／２ａ／２ｂを示す。図１６は、拡張ＣＰの場合におけるＰＵＣＣＨフォーマット２／２ａ／２ｂを示す。図１５及び図１６を参照すると、標準ＣＰの場合に、一つのサブフレームは、ＲＳシンボルの他、１０個のＱＰＳＫデータシンボルで構成される。それぞれのＱＰＳＫシンボルは、ＣＳにより周波数領域で拡散された後、該当のＳＣ−ＦＤＭＡシンボルにマッピングされる。ＳＣ−ＦＤＭＡシンボルレベルＣＳホッピングは、セル間干渉をランダム化するために適用することができる。ＲＳは、巡回シフトを用いてＣＤＭにより多重化することができる。例えば、可用ＣＳの個数が１２または６であるとすれば、同一のＰＲＢ内にそれぞれ１２または６個の端末を多重化することができる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化することができる。
【００９８】
ＰＵＣＣＨフォーマット１／１ａ／１ｂのための長さ４と長さ３の直交シーケンス（ＯＣ）は、下記の表７及び表８に示すとおりである。
【００９９】
【表７】
0005973353.tif 000063
【０１００】
【表８】
0005973353.tif 000064
【０１０１】
ＰＵＣＣＨフォーマット１／１ａ／１ｂにおいて、ＲＳのための直交シーケンス（ＯＣ）は、下記の表９のとおりである。
【０１０２】
【表９】
0005973353.tif 000065
【０１０３】
図１７は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１７は、
【数５６】
0005973353.tif 000066
の場合に該当する。
【０１０４】
図１８は、同一のＰＲＢ内で、ＰＵＣＣＨフォーマット１／１ａ／１ｂ及びフォーマット２／２ａ／２ｂの混合構造に対するチャネル化を示す図である。
【０１０５】
巡回シフト（Ｃｙｃｌｉｃ  Ｓｈｉｆｔ：ＣＳ）ホッピングと直交カバー（Ｏｒｔｈｏｇｏｎａｌ  Ｃｏｖｅｒ：ＯＣ）再マッピング（ｒｅｍａｐｐｉｎｇ）は、下記のように適用可能である。
（１）セル間干渉（ｉｎｔｅｒ−ｃｅｌｌ  ｉｎｔｅｒｆｅｒｅｎｃｅ）のランダム化のためのシンボルベースのセル特定ＣＳホッピング
（２）スロットレベルＣＳ／ＯＣ再マッピング
１）セル間干渉ランダム化のために
２）ＡＣＫ／ＮＡＣＫチャネルとリソース（ｋ）間のマッピングのためのスロットベースの接近
【０１０６】
一方、ＰＵＣＣＨフォーマット１／１ａ／１ｂのためのリソース（ｎr）は、下記の組み合わせを含む。
（１）ＣＳ（＝シンボルレベルでＤＦＴ直交コードと同一）（ｎcs）
（２）ＯＣ（スロットレベルで直交カバー）（ｎoc）
（３）周波数ＲＢ（Ｒｅｓｏｕｒｃｅ  Ｂｌｏｃｋ）（ｎrb）
【０１０７】
ＣＳ、ＯＣ、ＲＢを表すインデックスをそれぞれ、ｎcs、ｎoc、ｎrbとすれば、代表インデックス（ｒｅｐｒｅｓｅｎｔａｔｉｖｅ  ｉｎｄｅｘ）ｎrは、ｎcs、ｎoc、ｎrbを含む。ｎrは、ｎr＝（ｎcs、ｎoc、ｎrb）を満たす。
【０１０８】
ＣＱＩ、ＰＭＩ、ＲＩ、及びＣＱＩとＡＣＫ／ＮＡＣＫとの組み合わせは、ＰＵＣＣＨフォーマット２／２ａ／２ｂを通じて伝送することができる。リードマラー（Ｒｅｅｄ  Ｍｕｌｌｅｒ：ＲＭ）チャネルコーディングを適用することができる。
【０１０９】
例えば、ＬＴＥシステムでＵＬ ＣＱＩのためのチャネルコーディングを説明すると、次のとおりである。ビットストリームａ0，ａ1，ａ2，ａ3，…，ａA-1は、（２０，Ａ）ＲＭコードを用いてチャネルコーディングされる。表１０は、（２０，Ａ）コードのための基本シーケンスを示すものである。ａ0とａA-1は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合に、ＣＱＩとＡＣＫ／ＮＡＣＫが同時伝送される場合を除けば、最大情報ビットは１１ビットである。ＲＭコードを用いて２０ビットにコーディングした後に、ＱＰＳＫ変調を適用することができる。ＱＰＳＫ変調の前に、コーディングされたビットをスクランブルすることができる。
【０１１０】
【表１０】
0005973353.tif 000067
【０１１１】
チャネルコーディングビットｂ0，ｂ1，ｂ2，ｂ3，…，ｂB-1は、式９により生成することができる。
【０１１２】
【数５７】
0005973353.tif 000068
【０１１３】
ここで、ｉ＝０，１，２，…，Ｂ−１を満たす。
【０１１４】
表１１は、広帯域報告（単一アンテナポート、伝送ダイバーシティ（ｔｒａｎｓｍｉｔ  ｄｉｖｅｒｓｉｔｙ）または開ループ空間多重化（ｏｐｅｎ  ｌｏｏｐ  ｓｐａｔｉａｌ  ｍｕｌｔｉｐｌｅｘｉｎｇ）ＰＤＳＣＨ）ＣＱＩフィードバックのためのＵＣＩ（Ｕｐｌｉｎｋ  Ｃｏｎｔｒｏｌ  Ｉｎｆｏｒｍａｔｉｏｎ）フィールドを表すものである。
【０１１５】
【表１１】
0005973353.tif 000069
【０１１６】
表１２は、広帯域に対するＣＱＩとＰＭＩフィードバックのためのＵＣＩフィールドを表し、このフィールドは、閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ伝送を報告する。
【０１１７】
【表１２】
0005973353.tif 000070
【０１１８】
表１３は、広帯域報告のためのＲＩフィードバックのためのＵＣＩフィールドを表す。
【０１１９】
【表１３】
0005973353.tif 000071
【０１２０】
図１９は、ＰＲＢ割当を示す図である。図１９に示すように、スロットｎsでＰＵＣＣＨ伝送のためにＰＲＢを用いることができる。
【０１２１】
マルチキャリアシステムまたはキャリアアグリゲーション（ｃａｒｒｉｅｒ  ａｇｇｒｅｇａｔｉｏｎ）システムは、広帯域支援のために目標帯域幅（ｂａｎｄｗｉｄｔｈ）よりも小さい帯域幅を持つ複数のキャリアを統合して用いるシステムのことをいう。目標帯域幅よりも小さい帯域幅を持つ複数のキャリアを統合する時に、統合されるキャリアの帯域幅は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。または、既存システムで用いる帯域幅にかかわらず、新しい帯域幅を定義してキャリアアグリゲーションを支援してもよい。マルチキャリアは、キャリアアグリゲーション及び帯域幅統合と併用できる名称である。また、キャリアアグリゲーションは、隣接した（ｃｏｎｔｉｇｕｏｕｓ）キャリアアグリゲーションと隣接していない（ｎｏｎ−ｃｏｎｔｉｇｕｏｕｓ）キャリアアグリゲーションを総称する。
【０１２２】
図２０は、基地局でダウンリンクコンポーネントキャリアを管理する概念を示す図であり、図２１は、端末でアップリンクコンポーネントキャリアを管理する概念を示す図である。説明の便宜のために、以下では、図２０及び図２１において、上位層をＭＡＣと簡略化して説明する。
【０１２３】
図２２は、基地局において一つのＭＡＣがマルチキャリアを管理する概念を説明する。図２３は、端末において一つのＭＡＣがマルチキャリアを管理する概念を説明する。
【０１２４】
図２２及び図２３を参照すると、一つのＭＡＣが一つ以上の周波数キャリアを管理及び運営して送受信を行う。一つのＭＡＣにより管理される周波数キャリアは、互いに隣接する必要がないため、リソース管理の側面においてより柔軟（ｆｌｅｘｉｂｌｅ）であるという利点がある。図２２及び図２３で、一つのＰＨＹは、便宜上、一つのコンポーネントキャリアを意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともできる。
【０１２５】
図２４は、基地局において複数のＭＡＣがマルチキャリアを管理する概念を説明する。図２５は、端末において複数のＭＡＣがマルチキャリアを管理する概念を説明する。図２６は、基地局において複数のＭＡＣがマルチキャリアを管理する他の概念を説明する。図２７は、端末において複数のＭＡＣがマルチキャリアを管理する他の概念を説明する。
【０１２６】
図２２及び図２３に示すような構造に限定されず、図２４乃至図２７のように、複数のキャリアを、一つのＭＡＣではなく複数のＭＡＣが制御することもできる。
【０１２７】
図２４及び図２５に示すように、それぞれのキャリアをそれぞれのＭＡＣが１：１で制御することもでき、図２６及び図２７に示すように、一部キャリアについては、それぞれのキャリアをそれぞれのＭＡＣが１：１で制御し、残り１個以上のキャリアを一つのＭＡＣが制御することもできる。
【０１２８】
上記のシステムは、１個〜Ｎ個の多数のキャリアを含むシステムであり、各キャリアは隣接して用いられることもあり、非隣接（ｎｏｎ−ｃｏｎｔｉｇｕｏｕｓ）して用いられることもある。これは、アップリンク／ダウンリンクを問わずに適用可能である。ＴＤＤシステムは、それぞれのキャリア内にダウンリンクとアップリンクの伝送を含むＮ個の多数キャリアを運営するように構成され、ＦＤＤシステムは、多数のキャリアをアップリンクとダウンリンクにそれぞれ用いるように構成される。ＦＤＤシステムの場合に、アップリンクとダウンリンクで統合されるキャリアの数及び／またはキャリアの帯域幅は、他の非対称的なキャリアアグリゲーションも支援することができる。
【０１２９】
アップリンクとダウンリンクで統合されたコンポーネントキャリアの個数が同一であれば、全てのコンポーネントキャリアを既存システムと互換可能に構成することができる。しかし、互換性を考慮しないコンポーネントキャリアが本発明から排除されるわけではない。
【０１３０】
以下では、説明の便宜のために、ＰＤＣＣＨがダウンリンクコンポーネントキャリア＃０で伝送された時に、該当のＰＤＳＣＨはダウンリンクコンポーネントキャリア＃０で伝送されるとして説明するが、交差−キャリアスケジュールリング（ｃｒｏｓｓ−ｃａｒｒｉｅｒ  ｓｃｈｅｄｕｌｉｎｇ）が適用されることで、該当のＰＤＳＣＨが他のダウンリンクコンポーネントキャリアを通じて伝送されてもよいことは明らかである。「コンポーネントキャリア」という用語は、等価の他の用語（例、セル）にしてもよい。
【０１３１】
図２８には、キャリアアグリゲーションが支援される無線通信システムにおいて、アップリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する。便宜上、本例は、ＵＣＩがＡＣＫ／ＮＡＣＫ（Ａ／Ｎ）である場合とする。しかし、これは、説明の便宜のためのもので、ＵＣＩはチャネル状態情報（例、ＣＱＩ、ＰＭＩ、ＲＩ）、スケジューリング要求情報（例、ＳＲ）のような制御情報を制限なく含むことができる。
【０１３２】
図２８には、５個のＤＬ ＣＣが１個のＵＬ ＣＣとリンクされた非対称キャリアアグリゲーションを例示する。例示した非対称キャリアアグリゲーションは、ＵＣＩ伝送の観点で設定したものでよい。すなわち、ＵＣＩのためのＤＬ ＣＣ−ＵＬ ＣＣリンケージとデータのためのＤＬ ＣＣ−ＵＬ ＣＣリンケージとを、異なるように設定することができる。便宜上、一つのＤＬ ＣＣが最大２個のコードワードを伝送できるとすれば、ＵＬ ＡＣＫ／ＮＡＣＫビットも、少なくとも２ビットが必要である。この場合、５個のＤＬ ＣＣを通じて受信したデータに対するＡＣＫ／ＮＡＣＫを一つのＵＬ ＣＣを通じて伝送するには、少なくとも１０ビットのＡＣＫ／ＮＡＣＫビットが必要である。もし、ＤＬ ＣＣ別にＤＴＸ状態も支援するためには、ＡＣＫ／ＮＡＣＫ伝送のために少なくとも１２ビット（＝５＾５＝３１２５＝１１．６１ビット）が必要である。既存のＰＵＣＣＨフォーマット１ａ／１ｂは２ビットまでＡＣＫ／ＮＡＣＫを送ることができるため、この構造では、増加したＡＣＫ／ＮＡＣＫ情報を伝送することができない。便宜上、ＵＣＩ情報の量が増加する原因としてキャリアアグリゲーションを挙げたが、アンテナの個数の増加、ＴＤＤシステム、リレーシステムにおけるバックホールサブフレームの存在などにも起因する。ＡＣＫ／ＮＡＣＫと同様に、複数のＤＬ ＣＣと関連した制御情報を一つのＵＬ ＣＣを通じて伝送すべき場合にも、伝送されるべき制御情報の量が増加する。例えば、複数のＤＬ ＣＣに対するＣＱＩをＵＬアンカー（またはプライマリ）ＣＣを通じて伝送しなければならない場合に、ＣＱＩペイロードが増加することがある。ＤＬ ＣＣ及びＵＬ ＣＣはそれぞれ、ＤＬ Ｃｅｌｌ及びＵＬ Ｃｅｌｌと呼ぶこともできる。また、アンカーＤＬ ＣＣ及びアンカーＵＬ ＣＣはそれぞれ、ＤＬ ＰＣｅｌｌ（Ｐｒｉｍａｒｙ  Ｃｅｌｌ）及びＵＬ ＰＣｅｌｌと呼ぶこともできる。
【０１３３】
ＤＬプライマリＣＣは、ＵＬプライマリＣＣとリンケージされたＤＬ ＣＣと規定できる。ここで、リンケージは、暗黙的（ｉｍｐｌｉｃｉｔ）、明示的（ｅｘｐｌｉｃｉｔ）リンケージ（ｌｉｎｋａｇｅ）の両方を包括する。ＬＴＥでは、一つのＤＬ ＣＣと一つのＵＬ ＣＣが固有にペアリングされている。例えば、ＬＴＥペアリングにより、ＵＬプライマリＣＣとリンケージされたＤＬ ＣＣを、ＤＬプライマリＣＣと称することができる。これを暗黙的リンケージということができる。明示的リンケージは、ネットワークがあらかじめリンケージを構成（ｃｏｎｆｉｇｕｒａｔｉｏｎ）することを意味し、ＲＲＣなどでシグナリングできる。明示的リンケージにおいて、ＵＬプライマリＣＣとペアリングされているＤＬ ＣＣをプライマリＤＬ ＣＣと称することができる。ここで、ＵＬプライマリ（またはアンカー）ＣＣは、ＰＵＣＣＨが伝送されるＵＬ ＣＣでよい。あるいは、ＵＬプライマリＣＣは、ＰＵＣＣＨあるいはＰＵＳＣＨを通じてＵＣＩが伝送されるＵＬ ＣＣでもよい。または、ＤＬプライマリＣＣは、上位層シグナリングを通じて構成されてもよい。または、ＤＬプライマリＣＣは、端末が初期接続を行ったＤＬ ＣＣでもよい。また、ＤＬプライマリＣＣ以外のＤＬ ＣＣは、ＤＬセカンダリＣＣと呼ぶことができる。同様に、ＵＬプライマリＣＣ以外のＵＬ ＣＣは、ＵＬセカンダリＣＣと呼ぶことができる。
【０１３４】
ＤＬ−ＵＬペアリングは、ＦＤＤに限るものでよい。ＴＤＤは、同じ周波数を用いているため、ＤＬ−ＵＬペアリングを別に定義しなくてもよいわけである。また、ＤＬ−ＵＬリンケージは、ＳＩＢ２のＵＬ ＥＡＲＦＣＮ情報を通じてＵＬリンケージから決定することができる。例えば、ＤＬ−ＵＬリンケージを、初期接続時にＳＩＢ２デコーディングを通じて獲得し、それ以外はＲＲＣシグナリングを通じて獲得することができる。そのため、ＳＩＢ２リンケージのみ存在し、他のＤＬ−ＵＬペアリングは明示的に定義されなくてもよい。例えば、図２８の５ＤＬ：１ＵＬの構造において、ＤＬ ＣＣ#０とＵＬ ＣＣ#０とはＳＩＢ２リンケージ関係にあり、残りのＤＬ ＣＣは、当該端末に設定されていない他のＵＬ ＣＣとＳＩＢ２リンケージ関係を有することができる。
【０１３５】
以下、図面を参照して、増大したアップリンク制御情報を效率よく伝送するための方式を提案する。具体的に、増大したアップリンク制御情報を伝送するための新しいＰＵＣＣＨフォーマット／信号処理手順／リソース割当方法などを提案する。説明のために、本発明で提案するＰＵＣＣＨフォーマットを、新規ＰＵＣＣＨフォーマット、ＬＴＥ−Ａ ＰＵＣＣＨフォーマット、または既存ＬＴＥにＰＵＣＣＨフォーマット２まで定義されている点に照らしてＰＵＣＣＨフォーマット３と呼ぶ。本発明で提案するＰＵＣＣＨフォーマットの技術的思想は、アップリンク制御情報を伝送できる任意の物理チャネル（例、ＰＵＳＣＨ）にも同一または類似の方法を用いて容易に適用することができる。例えば、本発明の実施例は、制御情報を周期的に伝送する周期的ＰＵＳＣＨ構造、または制御情報を非周期的に伝送する非周期的ＰＵＳＣＨ構造に適用することができる。
【０１３６】
以下の図面及び実施例は、本発明の実施例に係るＰＵＣＣＨフォーマット３に適用されるサブフレーム／スロットレベルのＵＣＩ／ＲＳシンボル構造であり、既存のＬＴＥのＰＵＣＣＨフォーマット１（標準ＣＰ）のＵＣＩ／ＲＳシンボル構造を用いる場合を中心に説明する。しかし、図示のＰＵＣＣＨフォーマット３においてサブフレーム／スロットレベルのＵＣＩ／ＲＳシンボル構造は、例示のために便宜上定義したもので、本発明が特定構造に制限されることはない。本発明に係るＰＵＣＣＨフォーマット３において、ＵＣＩ／ＲＳシンボルの個数、位置などは、システム設計に合わせて適宜変形すればよい。例えば、本発明の実施例に係るＰＵＣＣＨフォーマット３は、既存のＬＴＥのＰＵＣＣＨフォーマット２／２ａ／２ｂのＲＳシンボル構造を用いて定義することができる。
【０１３７】
本発明の実施例に係るＰＵＣＣＨフォーマット３は、任意の種類／サイズのアップリンク制御情報を伝送するのに用いることができる。例えば、本発明の実施例に係るＰＵＣＣＨフォーマット３は、ＨＡＲＱ ＡＣＫ／ＮＡＣＫ、ＣＱＩ、ＰＭＩ、ＲＩ、ＳＲなどの情報またはこれらの組み合わせ情報を伝送することができ、これらの情報は、任意サイズのペイロードを有することができる。説明の便宜上、図面及び実施例は、本発明に係るＰＵＣＣＨフォーマット３がＡＣＫ／ＮＡＣＫ情報を伝送する場合を中心に説明する。しかし、これは、説明のための例示で、以下の図面及び実施例において、ＡＣＫ／ＮＡＣＫ情報は任意のアップリンク制御情報に代わってもよく、ＡＣＫ／ＮＡＣＫ情報は、他のアップリンク制御情報と共に伝送されてもよい。
【０１３８】
（実施例１）
図２９Ａ乃至図２９Ｆには、本実施例に係るＰＵＣＣＨフォーマットの構造及びそのための信号処理手順を例示する。
【０１３９】
図２９Ａには、本実施例に係るＰＵＣＣＨフォーマットをＰＵＣＣＨフォーマット１（標準ＣＰ）の構造に適用する場合を例示する。図２９Ａを参照すると、チャネルコーディングブロック（ｃｈａｎｎｅｌ  ｃｏｄｉｎｇ  ｂｌｏｃｋ）は、情報ビットａ＿０、ａ＿１、…、ａ＿Ｍ−１（例、多重ＡＣＫ／ＮＡＣＫビット）をチャネルコーディングして、コーディングビット（ｃｏｄｅｄ  ｂｉｔ  ｏｒ  ｃｏｄｉｎｇ  ｂｉｔ）（またはコードワード）ｂ＿０、ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、複数のＤＬ ＣＣを通じて受信した複数のデータ（またはＰＤＳＣＨ）に対する多重ＡＣＫ／ＮＡＣＫを含む。ここで、情報ビットａ＿０、ａ＿１、…、ａ＿Ｍ−１は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行わずに、全体ビット情報に対して行われ、これにより単一コードワードが生成される。チャネルコーディングには、これに限定されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボコーディングを用いることができる。図示してはいないが、コーディングビットは、変調次数とリソース量を考慮してレートマッチング（ｒａｔｅ−ｍａｔｃｈｉｎｇ）されるとよい。レートマッチング機能は、チャネルコーディングブロックの一部として含まれてもよく、別の機能ブロックによって行われてもよい。例えば、チャネルコーディングブロックは、複数の制御情報に（３２，０）ＲＭコーディングを行って単一コードワードを獲得し、このコードワードに循環バッファレートマッチングを行うことができる。
【０１４０】
（３２，０）ＲＭコーディングを行う場合について具体的に例示する。式１０は、情報ビットａ＿０，ａ＿１，…，ａ＿Ｍ−１の長さが１１ビット以下の場合にチャネルコーディングする例を示す。
【０１４１】
【数５８】
0005973353.tif 000072
【０１４２】
ここで、
【数５９】
0005973353.tif 000073
（ｉ＝０，…，３１）は、チャネルコーディングの出力ビットを表し、Ｍi,nは、チャネルコーディングのための基底（ｂａｓｉｓ）シーケンスを表す。Ｍi,nの例を表１４に示す。
【０１４３】
その後、
【数６０】
0005973353.tif 000074
を必要な長さだけ循環バッファレートマッチングする。すなわち、
【数６１】
0005973353.tif 000075
を必要な長さだけ式１１によって循環反復することができる。
【０１４４】
【数６２】
0005973353.tif 000076
【０１４５】
ここで、ｂi（ｉ＝０，…，Ｎ−１）は、レートマッチング後のコーディングビットを表す。
【０１４６】
情報ビットａ＿０，ａ＿１，…，ａ＿Ｍ−１の長さが１１ビットを超える場合は、情報ビットを１１ビットずつ分けて（３２，０）ＲＭコーディングを行った後に、それらを合わせることができる。
【０１４７】
【表１４】
0005973353.tif 000077
【０１４８】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１４９】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットへの分周時にインタリービング（またはパーミュテーション）することができる。例えば、偶数番目の変調シンボルは、スロット０に分周し、奇数番目の変調シンボルはスロット１に分周することができる。変調演算と分周演算は互いに順序が換わってもよい。
【０１５０】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ウォルシュプリコーディング）に代替可能である。
【０１５１】
拡散ブロック（ｓｐｒｅａｄｉｎｇ  ｂｌｏｃｋ）は、ＤＦＴされた信号を、ＳＣ−ＦＤＭＡシンボルレベルで（時間領域）拡散する。ＳＣ−ＦＤＭＡシンボルレベルの時間領域拡散は、拡散コード（シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。本明細書は、説明の容易のために、拡散コードの代表例として直交コードを挙げて説明するが、これは例示であり、直交コードは準直交コードに代替可能である。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連を持つことができる。ＳＦは、１、２、３、４、…のように、システムの要求条件によって可変でき、基地局と端末との間にあらかじめ定義されたり、ＤＣＩあるいはＲＲＣシグナリングを通じて端末に知らせられたりすることができる。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１５２】
上述の手順を経て生成された信号は、ＰＲＢ内の副搬送波にマッピングされた後に、ＩＦＦＴを経て時間領域信号に変換される。時間領域信号にはＣＰが付加され、生成されたＳＣ−ＦＤＭＡシンボルはＲＦ端を通じて伝送される。
【０１５３】
５個のＤＬ ＣＣに対するＡＣＫ／ＮＡＣＫを伝送する場合を挙げて、各手順をより具体的に説明する。それぞれのＤＬ ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間領域でＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１ＰＲＢ当たり最大４個の端末を多重化することができる。
【０１５４】
図２９Ａを参照して説明した信号処理手順は単なる例示であり、図２９ＡでＰＲＢにマッピングされた信号は、等価の様々な信号処理手順を通じて得られてもよい。図２９Ｂ乃至図２９Ｇを参照して、図２９Ａに例示したものと等価の信号処理手順を説明する。
【０１５５】
図２９Ｂは、図２９ＡにおいてＤＦＴプリコーダと拡散ブロックとの処理順序を入れ替えたものである。図２９Ａにおいて拡散ブロックの機能は、ＤＦＴプリコーダから出力されたＤＦＴシンボル列にＳＣ−ＦＤＭＡシンボルレベルで特定の定数を乗じる演算に対応するものあるから、これらの順序を入れ替えても、ＳＣ−ＦＤＭＡシンボルにマッピングされる信号の値は同一である。したがって、ＰＵＣＣＨフォーマット３のための信号処理手順は、チャネルコーディング、変調、分周、拡散、ＤＦＴプリコーディングの順にすることができる。この場合、分周と拡散は一つの機能ブロックにより行われてもよい。一例として、変調シンボルをそれぞれのスロットに交互に分周しながら、それぞれの変調シンボルを分周と同時にＳＣ−ＦＤＭＡシンボルレベルで拡散させることができる。他の例として、変調シンボルをそれぞれのスロットに分周する時にそれぞれの変調シンボルを拡散コードのサイズに対応するように複写し、これらの変調シンボルと拡散コードの各要素を１対１に乗じることができる。そのため、スロット別に生成された変調シンボル列は、ＳＣ−ＦＤＭＡシンボルレベルで複数のＳＣ−ＦＤＭＡシンボルに拡散される。その後、それぞれのＳＣ−ＦＤＭＡシンボルに対応する複素シンボル列は、ＳＣ−ＦＤＭＡシンボル単位にＤＦＴプリコーディングされる。
【０１５６】
図２９Ｃは、図２９Ａにおいて変調器と分周器との処理順序を入れ替えたものである。そのため、ＰＵＣＣＨフォーマット３のための処理手順は、サブフレームレベルでジョイントチャネルコーディングと分周が行われ、それぞれのスロットレベルで変調、ＤＦＴプリコーディング、拡散の順に行われる。
【０１５７】
図２９Ｄは、図２９Ｃにおいて、ＤＦＴプリコーダと拡散ブロックとの処理順序をさらに入れ替えたものである。前述したように、拡散ブロックの機能は、ＤＦＴプリコーダから出力されたＤＦＴシンボル列にＳＣ−ＦＤＭＡシンボルレベルで特定の定数を乗じる演算に対応するものであるから、それらの順序を入れ替えても、ＳＣ−ＦＤＭＡシンボルにマッピングされる信号の値は同一である。したがって、ＰＵＣＣＨフォーマット３のための信号処理手順は、サブフレームレベルでジョイントチャネルコーディングと分周が行われ、それぞれのスロットレベルで変調が行われる。スロット別に生成された変調シンボル列は、ＳＣ−ＦＤＭＡシンボルレベルで複数のＳＣ−ＦＤＭＡシンボルに拡散され、それぞれのＳＣ−ＦＤＭＡシンボルに対応する変調シンボル列は、ＳＣ−ＦＤＭＡシンボル単位にＤＦＴプリコーディングされる。この場合、変調と拡散は、一つの機能ブロックにより行われてもよい。一例として、コーディングビットを変調しながら、生成された変調シンボルを直ちにＳＣ−ＦＤＭＡシンボルレベルで拡散させることができる。他の例として、コーディングビットの変調時に生成された変調シンボルを拡散コードのサイズに対応するように複写し、これらの変調シンボルと拡散コードの各要素を１対１に乗じることができる。
【０１５８】
図２９Ｅは、本実施例に係るＰＵＣＣＨフォーマット３をＰＵＣＣＨフォーマット２（標準ＣＰ）の構造に適用する場合を示し、図２９Ｆは、本実施例に係るＰＵＣＣＨフォーマット３をＰＵＣＣＨフォーマット２（拡張ＣＰ）の構造に適用する場合を示す。基本的な信号処理手順は、図２９Ａ乃至図２９Ｄを参照して説明したとおりである。ただし、既存ＬＴＥのＰＵＣＣＨフォーマット２の構造を再利用することから、ＰＵＣＣＨフォーマット３でＵＣＩ ＳＣ−ＦＤＭＡシンボル及びＲＳ ＳＣ−ＦＤＭＡシンボルの個数／位置が、図２９Ａとは異なってくる。
【０１５９】
表１５には、図示のＰＵＣＣＨフォーマット３でのＲＳ ＳＣ−ＦＤＭＡシンボルの位置を示す。標準ＣＰの場合に、スロットにおけるＳＣ−ＦＤＭＡシンボルは７個（インデックス：０〜６）であり、拡張ＣＰの場合に、スロットにおけるＳＣ−ＦＤＭＡシンボルは６個（インデックス：０〜５）であるとする。
【０１６０】
【表１５】
0005973353.tif 000078
【０１６１】
表１６及び表１７は、ＳＦ値による拡散コードを例示する。表１６は、ＳＦ＝５とＳＦ＝３のＤＦＴコードを例示する。表１７は、ＳＦ＝４とＳＦ＝２のウォルシュコードを例示する。ＤＦＴコードは、
【数６３】
0005973353.tif 000079
で表現される直交コードである。ここで、ｋは、ＤＦＴコードのサイズまたはＳＦ値を表し、ｍは、０，１，…，ＳＦ−１である。下の表は、ｍを直交コードに対するインデックスとした場合を例示する。
【０１６２】
【表１６】
0005973353.tif 000080
【０１６３】
【表１７】
0005973353.tif 000081
【０１６４】
コードインデックスｍは、あらかじめ指定されたり、基地局からシグナリングされたりすることができる。一例として、コードインデックスｍは、ＰＤＣＣＨを構成するＣＣＥインデックス（例、最小のＣＣＥインデックス）と暗黙的（ｉｍｐｌｉｃｉｔｌｙ）にリンクされる。また、コードインデックスｍは、ＰＤＣＣＨまたはＲＲＣシグナリングを通じて明示的に指定されてもよい。また、コードインデックスｍは、ＰＤＣＣＨまたはＲＲＣシグナリングを通じて指定された値から類推されてもよい。また、コードインデックスｍは、サブフレーム単位、スロット単位、複数のＳＣ−ＦＤＭＡシンボル単位に独立して与えられるものでよい。好適には、コードインデックスｍは、サブフレーム単位、スロット単位、複数のＳＣ−ＦＤＭＡシンボル単位に変更可能である。すなわち、コードインデックスｍは一定の時間区間単位にホッピング可能である。
【０１６５】
図示してはいないが、セル間干渉ランダム化のためにＰＣＩ（Ｐｈｙｓｉｃａｌ  Ｃｅｌｌ  ＩＤ）に相応するスクランブルコード（例、ゴールドコードのようなＰＮコード）を用いたセル特定（ｃｅｌｌ−ｓｐｅｃｉｆｉｃ）スクランブルあるいは端末ＩＤ（例、ＲＮＴＩ）に相応するスクランブルコードを用いた端末特定（ＵＥ−ｓｐｅｃｉｆｉｃ）スクランブルがさらに適用されてもよい。スクランブルは、全体情報に対して行われたり、ＳＣ−ＦＤＭＡシンボル内でまたはＳＣ−ＦＤＭＡシンボル間に行われたり、これら両方において行われたりすることができる。全体情報に対するスクランブルは、分周前の情報ビットレベル、コーディングビットレベル、変調シンボルレベルでスクランブルを行うことによって達成されることができる。ＳＣ−ＦＤＭＡシンボル内スクランブルは、分周後に変調シンボルレベルまたはＤＦＴシンボルレベルでスクランブルを行うことによって実現されることができる。また、ＳＣ−ＦＤＭＡシンボル間スクランブルは、拡散後に時間領域においてＳＣ−ＦＤＭＡシンボルレベルでスクランブルを行うことによって達成されることができる。
【０１６６】
式１２は、ビットレベルで行われるスクランブルを示す。ビットレベルスクランブルは、情報ビットレベルまたはコーディングビットレベル（すなわち、コードワード）で行うことができる。
【０１６７】
【数６４】
0005973353.tif 000082
【０１６８】
ここで、
【数６５】
0005973353.tif 000083
及び
【数６６】
0005973353.tif 000084
は、スクランブルされたビット列を表す。ａ（ｉ）及びｂ（ｉ）はそれぞれ、情報ビット列及びコーディングビット列を表す。ｃ（ｉ）は、スクランブルシーケンスを表す。ｍｏｄは、モジュロ（ｍｏｄｕｌｏ）演算を表す。ｉは、０以上の整数である。
【０１６９】
次に、スクランブルシーケンス生成手順を例示する。スクランブルシーケンスとして、長さ３１のゴールドシーケンスと定義される擬似ランダム（Ｐｓｅｕｄｏ−ｒａｎｄｏｍ：ＰＮ）シーケンスを用いることができる。長さＭＰＮの擬似ランダムシーケンスｃ(ｎ)は、式１３で定義できる。
【０１７０】
【数６７】
0005973353.tif 000085
【０１７１】
ここで、Ｎｃ＝１６００であり、最初のｍシーケンスは、ｘ１（０）＝１、ｘ１（ｎ）＝０、ｎ＝１，２，…，３０と初期化される。２番目のｍシーケンスの初期値は、式１４で与えられる。
【０１７２】
【数６８】
0005973353.tif 000086
【０１７３】
ここで、ｎsは、スロットインデックスであり、
【数６９】
0005973353.tif 000087
は、セルＩＤを表し、ｎRNTIは、Ｃ−ＲＮＴＩ（Ｃｅｌｌ  ＲＮＴＩ）を表す。
【数７０】
0005973353.tif 000088
は、床（ｆｌｏｏｒｉｎｇ）関数を表す。
【０１７４】
シンボルレベルのスクランブルは、式１２におけるモジュロ演算に代わって乗算を用い、かつ複素値を持つスクランブルコードを用いることによって行うことができる。
【０１７５】
また、ＤＦＴプリコーダの前段にＣＤＭを適用して端末多重化を図ることができる。一例として、ＤＦＴの前段は、時間領域信号であるから、巡回シフトあるいはウォルシュ（またはＤＦＴ）拡散を通じてＣＤＭを行うことができる。ＣＤＭ多重化は、情報ビットレベル、コーディングビットレベル、変調シンボルレベルのいずれか一方で行うことができる。具体的に、ＳＦ＝２ウォルシュコードで２つの端末を一つのＳＣ−ＦＤＭＡシンボルに多重化する場合を例示する。コーディングビットが１２ビットの場合に、ＱＰＳＫ変調を行うと、ａ0 ａ1 ａ2 ａ3 ａ4 ａ5の複素信号が生成される。各端末の制御情報を［＋１ ＋１］［＋１ −１］のウォルシュコードで拡散した例は、下記のとおりである。
【０１７６】
−ＵＥ＃０：［＋１ ＋１］を適用。ａ0 ａ1 ａ2 ａ3 ａ4 ａ5 ａ0 ａ1 ａ2 ａ3 ａ4 ａ5を伝送。
−ＵＥ＃１：［＋１ −１］を適用。ａ0 ａ1 ａ2 ａ3 ａ4 ａ5 −ａ0 −ａ1 −ａ2 −ａ3 −ａ4 −ａ5を伝送。
【０１７７】
この場合、インタリービングをさらに行うことができる。インタリービングは、拡散の前または後に適用することができる。拡散及びインタリービングの両方を適用した例は、下記のとおりである。
−ＵＥ＃０：［＋１ ＋１］を適用。ａ0 ａ0 ａ1 ａ1 ａ2 ａ2 ａ3 ａ3 ａ4 ａ4 ａ5 ａ5を伝送。
−ＵＥ＃１：［＋１ −１］を適用。ａ0，−ａ0，ａ1，−ａ1，ａ2，−ａ2，ａ3，−ａ3，ａ4，−ａ4，ａ5，−ａ5を伝送。
【０１７８】
ＤＦＴプリコーダの前段における拡散及び／またはインタリービング後に、生成された信号は、ＤＦＴプリコーディング後（必要時には、ＳＣ−ＦＤＭＡシンボルレベルで時間拡散をさらに行う）に該当のＳＣ−ＦＤＭＡシンボルの副搬送波にマッピングされる。
【０１７９】
図３０には、本実施例に係るＰＵＣＣＨフォーマットの他の構造を例示する。このＰＵＣＣＨフォーマットの構造は、図２９で例示した構造と基本的に同一である。ただし、互いに異なるコーディングビットがそれぞれのスロットに分周される代わりに、同じコーディングビットがスロット単位に反復されるという点で、図２９の構造と異なる。そのため、図３０の信号処理ブロックは分周器（ｄｉｖｉｄｅｒ）を含まない。
【０１８０】
以下、複数のＤＬ ＣＣから受信したデータに対して多重ＡＣＫ／ＮＡＣＫビットを伝送する状況を仮定して端末にＰＵＣＣＨリソースを割り当てる方法について例示する。説明の便宜上、ＰＵＣＣＨリソースは、制御情報伝送のためのリソース及び／またはＲＳ伝送のためのリソースを含む。便宜上、制御情報伝送のための（準）直交リソースをリソースＡと呼び、ＲＳ伝送のための（準）直交リソースをリソースＢと呼ぶ。リソースＡは、ＰＲＢインデックスと拡散コード（例、ウォルシュコード）インデックスのうちの少なくとも一つを含み、リソースＡに対して一つの代表論理インデックスを与え、それからＰＲＢインデックスと拡散コードインデックスが類推できる。リソースＢは、ＰＲＢインデックス、巡回シフトインデックスと直交カバーインデックスのうちの少なくとも一つを含み、リソースＢに対して一つの代表論理インデックスを与え、それからＰＲＢインデックス、巡回シフトインデックス及び直交カバーインデックスが類推できる。リソースＡとリソースＢの論理インデックスは互いにリンク可能である。また、リソースＡ及びリソースＢをなす具体的なリソースのインデックスも互いにリンク可能である。また、別の（代表）ＰＵＣＣＨリソースインデックスを定義し、これをリソースＡ及び／またはリソースＢとリンクできる。すなわち、別のＰＵＣＣＨリソースインデックスからリソースＡ及び／またはリソースＢが類推できる。
【０１８１】
第一のリソース割当方法として、リソースＡ及び／またはリソースＢを全てシグナリングすることができる。一例として、リソースＡ、リソースＢの両方を物理制御チャネル（例、ＰＤＣＣＨ）またはＲＲＣシグナリングを通じて知らせることができる。この時、制御情報伝送のためのリソースＡインデックスとＲＳ伝送のためのリソースＢインデックスはそれぞれシグナリングされてもよく、いずれか一方のみシグナリングされてもよい。例えば、ＲＳのフォーマットとインデクシングが既存ＬＴＥの方法にそのまま従うとすれば、ＲＳのためのリソースＢインデックスのみをシグナリングすればよい。制御情報はＲＳと同一のＰＲＢで伝送されることが好ましいので、ＲＳのためのリソースＢインデックスから制御情報のためのＰＲＢインデックスを類推し、ＰＲＢインデックスに該当するＰＲＢを通じて制御情報を伝送することができる。また、制御情報に用いられる直交コードインデックスは、ＲＳに用いられる直交カバーインデックスまたは巡回シフトインデックスから類推できる。他の例として、別のＰＵＣＣＨリソースインデックスをシグナリングし、それからリソースＡ及び／またはリソースＢを類推してもよい。すなわち、別のＰＵＣＣＨリソースインデックスが与えられると、それから制御情報のためのＰＲＢ及び／または直交カバーインデックス、ＲＳのためのＰＲＢ、直交カバーインデックス及び／または巡回シフトインデックスを類推することができる。
【０１８２】
シグナリングオーバーヘッド及びリソースの効率的な使用のために、上位層シグナリング（例、ＲＲＣシグナリング）を通じて端末または端末グループに複数のＰＵＣＣＨ候補リソース（インデックス）を知らせ、物理制御チャネル（例、ＰＤＣＣＨ）を通じて特定ＰＵＣＣＨリソース（インデックス）を指示することができる。ＰＵＣＣＨリソース（インデックス）は、上述したように、［リソースＡインデックス及びリソースＢインデックス］、［リソースＡインデックスまたはリソースＢインデックス］、または［別のＰＵＣＣＨリソースインデックス］と与えられることが可能である。具体的に、ＰＵＣＣＨリソースインデックスは、ＤＬセカンダリＣＣのＰＤＣＣＨを通じてシグナリングすることができる。キャリアアグリゲーションが適用される場合に、ＵＬプライマリＣＣでのみＰＵＣＣＨが伝送されるので、敢えてＤＬセカンダリＣＣのＴＰＣ（Ｔｒａｎｓｍｉｔ  Ｐｏｗｅｒ  Ｃｏｎｔｒｏｌ）を用いる理由はない。そのため、ＰＵＣＣＨリソース（インデックス）を、ＤＬセカンダリＣＣで伝送されるＰＤＣＣＨのＴＰＣフィールドを通じてシグナリングすることができる。
【０１８３】
第二の割当方法として、動的ＡＣＫ／ＮＡＣＫリソース割当の場合に、既存ＬＴＥの暗黙的（ｉｍｐｌｉｃｉｔ）方法を再使用することができる。例えば、特定ＤＬ ＣＣ（例、Ｐｒｉｍａｒｙ  ＤＬ  ＣＣ）のＤＬグラントに該当するＰＤＣＣＨの最小（ｌｏｗｅｓｔ）のＣＣＥインデックスに相応し、かつ、ＬＴＥ規則（ｎr＝ｎcce＋Ｎ＿ＰＵＣＣＨ(1)）に従うリソースインデックスを類推することができる。ｎrは、リソースＡ（及び／またはリソースＢ）インデックスを表し、ｎcceは、ＰＤＣＣＨを構成する最小のＣＣＥインデックスを表し、Ｎ＿ＰＵＣＣＨ(1)は、上位層により設定される値を表す。一例として、ＲＳ区間は、類推されたリソースインデックスに該当するリソースを用いることができる。制御情報の場合に、類推されたリソースインデックスからＰＲＢインデックスを再び類推した後に、該当のＰＲＢで該当のリソース（例、拡散コード）を用いて複数のＤＬ ＣＣに対するＡＣＫ／ＮＡＣＫを伝送することができる。あるいは、制御情報に対するリソースインデックスからＲＳに対するリソースインデックスを類推する場合に、制御情報区間にはＲＳリソース（例、巡回シフト、直交カバー、ＰＲＢインデックスの組み合わせ）のうち、巡回シフトインデックスに対応するリソースが用いられないので、ＲＳに用いられる巡回シフトインデックスは制御情報に対するリソースインデックスから類推することができない。この場合、ＲＳリソースの巡回シフトインデックスは特定値（例、ｎcs＝０）と仮定して用いることができる。
【０１８４】
多重アンテナ伝送方法を用いてＰＵＣＣＨを伝送する方式について説明する。便宜上、２Ｔｘ伝送ダイバーシティ方式（ｔｒａｎｓｍｉｔ  ｄｉｖｅｒｓｉｔｙ  ｓｃｈｅｍｅ）を説明するが、下記の例示は、ｎ−Ｔｘ伝送ダイバーシティ方式に同一／類似に拡張されてもよい。便宜上、上で仮定した通り、制御情報伝送のための（準）直交リソースをリソースＡとし、ＲＳ伝送のための（準）直交リソースをリソースＢとする。リソースＡとリソースＢの論理インデックスを互いにリンクすることができる。例えば、リソースＢの論理インデックスが与えられると、リソースＡの論理インデックスが自動的に与えられる。また、リソースＡとリソースＢに対する論理インデックスの物理的構成方法を互いに異ならせることができる。主に、下記２つの場合が存在する。
【０１８５】
１）制御情報をいずれのアンテナ（ポート）においても同一ＰＲＢを通じて伝送することができる。
Ａ．制御情報を、アンテナ（ポート）別に選択された２個の互いに異なるリソースＡ（例、互いに異なるインデックスのウォルシュあるいはＤＦＴコード）を通じて伝送することができる。
Ｂ．ＲＳを、アンテナ（ポート）別に選択された２個の互いに異なるリソースＢ（例、巡回シフトとＤＦＴカバーとの組み合わせ）を通じて伝送することができる。
【０１８６】
２）制御情報を、アンテナ別に互いに異なるＰＲＢを通じて伝送することができる。一例として、制御情報をアンテナ（ポート）０でＰＲＢ＃４を通じて伝送し、アンテナ（ポート）１でＰＲＢ＃６を通じて伝送することができる。
Ａ．互いに異なるアンテナ（ポート）を通じて伝送される制御情報には、リソースが特に制約されない（すなわち、互いに同一でも異なってもよい）。
Ｂ．互いに異なるアンテナ（ポート）を通じて伝送されるＲＳには、リソースが特に制約されない（すなわち、互いに同一でも異なってもよい）。
【０１８７】
多重アンテナ伝送（例、２Ｔｘ伝送）モードで、制御情報伝送のための２個のリソースＡ（例、直交コード）とＲＳ伝送のための２個のリソースＢ（例、巡回シフトとＤＦＴカバーとの組み合わせ）は、あらかじめ定義されてもよく、物理制御チャネル（例、ＰＤＣＣＨ）／ＲＲＣシグナリングを通じて与えられてもよい。この場合、制御情報とＲＳのためのシグナリングは個別に行われるとよい。また、いずれか一つのアンテナ（ポート）のためのリソース情報がシグナリングされると、他のアンテナ（ポート）のためのリソース情報は、既にシグナリングされたリソース情報から類推することができる。一例として、制御情報のための拡散コードインデックスｍは、あらかじめ指定されてもよく、基地局からシグナリングされてもよい。他の例として、拡散コードインデックスｍは、ＰＤＣＣＨを構成するＣＣＥインデックスと暗黙的（ｉｍｐｌｉｃｉｔｌｙ）にリンクされてもよい。さらに他の例として、拡散コードインデックスｍは、ＰＤＣＣＨまたはＲＲＣシグナリングを通じて明示的に指定されてもよい。さらに他の例として、拡散コードインデックスｍは、ＲＳのための直交コードインデックスまたは巡回シフトインデックスとリンクされてもよい。一方、拡散コードインデックスｍは、サブフレーム単位、スロット単位、複数のＳＣ−ＦＤＭＡシンボル単位に変更可能である。すなわち、拡散コードインデックスｍは一定の時間区間単位（例、スロット）でホッピング可能である。
【０１８８】
（実施例２）
図３１及び図３２には、本実施例に係るＰＵＣＣＨフォーマットの構造及びそのための信号処理手順を例示する。本実施例は、制御情報を周波数領域にインタリービング方式とローカル方式でＦＤＭマッピングする場合を例示する。ＦＤＭマッピングは、端末多重化あるいはアンテナ（ポート）多重化などの用途に用いることができる。ＦＤＭマッピングは例示であり、本実施例は、時間／周波数領域巡回シフトなどを用いたＣＤＭマッピングにも適用することができる。
【０１８９】
図３１を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（またはコードワード）ｂ＿０，ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、多重ＡＣＫ／ＮＡＣＫを含む。ここで、情報ビットａ＿０、ａ＿１，…，ａ＿Ｍ−１は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行われず、全体ビット情報を対象に行われ、これから単一コードワードが生成される。チャネルコーディングは、これに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンチングされたＮＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボコーディングを含む。図示してはいないが、コーディングビットは、変調次数及びリソース量を考慮してレート−マッチング（ｒａｔｅ−ｍａｔｃｈｉｎｇ）されるとよい。レートマッチング機能は、チャネルコーディングブロックの一部として含まれてもよく、別の機能ブロックを通じて行われてもよい。
【０１９０】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１９１】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットへの分周時にインタリービング（またはパーミュテーション）することができる。例えば、偶数番目の変調シンボルは、スロット０に分周し、奇数番目の変調シンボルはスロット１に分周することができる。変調と分周は互いに順序が換わってもよい。
【０１９２】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ウォルシュプリコーディング）に代替可能である。
【０１９３】
拡散ブロック（ｓｐｒｅａｄｉｎｇ  ｂｌｏｃｋ）は、ＤＦＴされた信号を、ＳＣ−ＦＤＭＡシンボルレベルで（時間領域）拡散する。ＳＣ−ＦＤＭＡシンボルレベルの時間領域拡散は、拡散コード（シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連を持つことができる。ＳＦは、１、２、３、４、…のように、システムの要求条件によって可変でき、基地局と端末との間にあらかじめ定義されたり、ＤＣＩあるいはＲＲＣシグナリングを通じて端末に知らせられたりすることができる。例えば、ＳＲＳを伝送するために、制御情報用ＳＣ−ＦＤＭＡシンボルのうちの一つをパンクチャリングする場合に、当該スロットの制御情報にはＳＦ＝３の拡散コードを適用することができる。拡散コードの例は、前述の表１６及び表１７を参照すればよい。
【０１９４】
上述の手順を経て生成された信号は、ＰＲＢ内の副搬送波にマッピングされる。実施例１と違い、本実施例では、拡散された信号はそれぞれのＳＣ−ＦＤＭＡシンボル内で不連続的に副搬送波にマッピングされる。図３１は、拡散された信号がＳＣ−ＦＤＭＡシンボル内にインタリービング方式でマッピングされる場合を示し、図３２は、拡散された信号がＳＣ−ＦＤＭＡシンボル内にローカル方式でマッピングされる場合を示す。その後、副搬送波にマッピングされる周波数領域信号は、ＩＦＦＴを経て時間領域信号に変換される。時間領域信号にはＣＰが付加され、生成されたＳＣ−ＦＤＭＡシンボルはＲＦ端を通じて伝送される。
【０１９５】
５個のＤＬ ＣＣに対するＡＣＫ／ＮＡＣＫを伝送する場合を仮定して各手順をより具体的に例示する。それぞれのＤＬ ＣＣが２個のＰＤＳＣＨを伝送できる場合に、それに対するＡＣＫ／ＮＡＣＫビットは、ＤＴＸ状態を含む場合に１２ビットでよい。ＱＰＳＫ変調、ＳＦ＝４時間拡散及び不連続マッピングを仮定する場合に、（レートマッチング後の）コーディングブロックサイズは２４ビットでよい。ＱＰＳＫ変調後に、コーディングビットは１２個のＱＰＳＫシンボルに変調され、生成されたＱＰＳＫシンボルは６個ずつ各スロットに分周される。各スロットで６個のＱＰＳＫシンボルは６−ポイントＤＦＴ演算を通じて６個のＤＦＴシンボルに変換される。各スロットで６個のＤＦＴシンボルは時間領域でＳＦ＝４拡散コードを用いて４個のＳＣ−ＦＤＭＡシンボルに拡散されてマッピングされる。１２個のビットが［２ビット＊６個の副搬送波＊８個のＳＣ−ＦＤＭＡシンボル］を通じて伝送されるので、ＡＣＫ／ＮＡＣＫ情報に対するコーディングレートは０．１２５（＝１２／９６）になる。また、ＳＦ＝４の場合に、１ＰＲＢ当たりに最大８つの端末を多重化することができる。
【０１９６】
ＤＦＴシンボルを周波数領域にマッピングする時に副搬送波間隔を２から３にすると、最大１２個の端末を多重化でき、副搬送波の間隔を４／６にすると、それぞれ１６／２４個の端末を多重化できる。この時、ＲＳは、既存ＬＴＥで用いたＳＦ＝３のＤＦＴコードと巡回シフトを適用することができる。既存ＬＴＥでウォルシュＳＦ＝４の場合に、［１ １ −１ −１」は、ＲＳのＳＦ＝３により多重化次数が制限され、用いられなかったが、本発明では再び用いられるように定義することができる。
【０１９７】
図示してはいないが、セル間干渉ランダム化のためにＰＣＩ（Ｐｈｙｓｉｃａｌ  Ｃｅｌｌ  ＩＤ）に相応するスクランブルコード（例、ゴールドコードのようなＰＮコード）を用いたセル特定（ｃｅｌｌ−ｓｐｅｃｉｆｉｃ）スクランブル、あるいは端末ＩＤ（例、ＲＮＴＩ）に相応するスクランブルコードを用いた端末特定（ＵＥ−ｓｐｅｃｉｆｉｃ）スクランブルがさらに適用されてもよい。スクランブルは、全体情報に対して行われたり、ＳＣ−ＦＤＭＡシンボル内でまたはＳＣ−ＦＤＭＡシンボル間に行われたり、これら両方において行われたりすることができる。全体情報に対するスクランブルは、分周前の情報ビットレベル、コーディングビットレベル、変調シンボルレベルでスクランブルを行うことによってなることができる。ＳＣ−ＦＤＭＡシンボル−内スクランブルは、分周後に変調シンボルレベルまたはＤＦＴシンボルレベルでスクランブルを行うことによってなることができる。また、ＳＣ−ＦＤＭＡシンボル−間スクランブルは、拡散後に時間領域においてＳＣ−ＦＤＭＡシンボルレベルでスクランブルを行うことによってなることができる。
【０１９８】
また、ＤＦＴプリコーダの前段にＣＤＭを適用して端末多重化を図ることができる。一例として、ＤＦＴの前段は、時間領域信号であるから巡回シフト（ｃｉｒｃｕｌａｒ  ｓｈｉｆｔ  ｏｒ  ｃｙｃｌｉｃ  ｓｈｉｆｔ）あるいはウォルシュ（またはＤＦＴ）拡散を通じてＣＤＭを具現することができる。ＣＤＭ多重化は、情報ビットレベル、コーディングビットレベル、変調シンボルレベルのいずれか一方で行われるとよい。具体的に、ＳＦ＝２ウォルシュコードで２個の端末を一つのＳＣ−ＦＤＭＡシンボルに多重化する場合を例示する。コーディングビットが６ビットの場合に、ＱＰＳＫ変調を行うと、ａ０，ａ１，ａ２の複素信号が生成される。各端末の制御情報を［＋１ ＋１］［＋１ −１］のウォルシュコードで拡散した例は、下記の通りである。
−ＵＥ＃０：［＋１ ＋１］を適用。ａ０，ａ１，ａ２，ａ０，ａ１，ａ２を伝送。
−ＵＥ＃１：［＋１ −１］を適用。ａ０，ａ１，ａ２，−ａ０，−ａ１，−ａ２を伝送。
【０１９９】
この場合、インタリービングをさらに行うことができる。インタリービングは、拡散の前または後に適用することができる。拡散及びインタリービングの両方を適用した例は、下記の通りである。
−ＵＥ＃０：［＋１ ＋１］を適用。ａ０，ａ０，ａ１，ａ１，ａ２，ａ２を伝送。
−ＵＥ＃１：［＋１ −１］を適用。ａ０，−ａ０，ａ１，−ａ１，ａ２，−ａ２を伝送。
【０２００】
図３３及び図３４には、本実施例に係るＰＵＣＣＨフォーマットの他の構造を例示する。このＰＵＣＣＨフォーマットの構造は、図３１及び図３２で例示した構造と基本的に同一である。ただし、互いに異なるコーディングビットがそれぞれのスロットに分周される代わりに、同じコーディングビットがスロット単位に反復されるという点で、図３１及び図３２の構造と異なる。そのため、図３３及び図３４は分周器（ｄｉｖｉｄｅｒ）を含まない。
【０２０１】
以下、複数のＤＬ ＣＣから受信したデータに対して多重ＡＣＫ／ＮＡＣＫビットを伝送する状況を仮定して端末にリソースを割り当てる方法について例示する。説明の便宜上、制御情報伝送のための（準）直交リソースをリソースＡとし、ＲＳ伝送のための（準）直交リソースをリソースＢとする。リソースＡは、ＰＲＢインデックス、拡散コード（例、ウォルシュコード）インデックス、及び周波数因子による副搬送波シフト（またはオフセット、インデックス）のうちの少なくとも一つを含み、リソースＡに対して一つの代表論理インデックスが与えられ、それからＰＲＢインデックス、拡散コードインデックス、及び周波数因子による副搬送波シフト（またはオフセット、インデックス）のうち、少なくとも一つが類推できる。リソースＢは、ＰＲＢインデックス、巡回シフトインデックスと直交カバーインデックスのうちの少なくとも一つを含み、リソースＢに対して一つの代表論理インデックスが与えられ、それからＰＲＢインデックス、巡回シフトインデックス及び直交カバーインデックスが類推できる。リソースＡとリソースＢの代表論理インデックスは互いにリンク可能である。また、リソースＡ及びリソースＢをなす細部リソースのインデックスも互いにリンク可能である。
【０２０２】
第一のリソース割当方法として、リソースＡとリソースＢの両方をシグナリングすることができる。一例として、リソースＡとリソースＢの両方を物理制御チャネル（例、ＰＤＣＣＨ）またはＲＲＣシグナリングを通じて知らせることができる。この時、制御情報伝送のためのリソースＡインデックスとＲＳ伝送のためのリソースＢインデックスがそれぞれシグナリングされてもよく、いずれか一方のみシグナリングされてもよい。例えば、ＲＳのフォーマットとインデクシングが既存ＬＴＥの方法をそのまま従うとすれば、ＲＳのためのリソースＢインデックスのみをシグナリングすることができる。制御情報は、ＲＳと同一のＰＲＢで伝送されることが好ましいので、ＲＳのためのリソースＢインデックスから制御情報のためのＰＲＢインデックスを類推し、ＰＲＢインデックスに該当するＰＲＢを通じて制御情報を伝送することができる。また、制御情報に用いられる直交コードインデックスは、ＲＳに用いられる直交カバーインデックスから類推できる。また、リソースＡの周波数因子による副搬送波シフト（またはオフセット、インデックス）は、ＲＳで用いられる巡回シフトインデックスから類推できる。他の例として、リソースＡの周波数因子による副搬送波シフト（またはオフセット、インデックス）は、ＲＲＣシグナリングすることができる。ここで、リソースＡの周波数因子（あるいは、それに相応する線形演算、例えば、周波数因子の逆数）は、ＲＲＣシグナリングされてもよく、ＤＬ ＣＣの個数によって暗黙的に決定されてもよい。すなわち、周波数因子は、システムにより設定（ｃｏｎｆｉｇｕｒａｔｉｏｎ）されてもよく、あらかじめ指定されてもよい。
【０２０３】
一方、ＲＳ区間にも、制御情報と同様にＦＤＭマッピングを適用することができる。ただし、制御情報の場合には、ＤＦＴプリコーディングを適用して低いＰＡＰＲ／ＣＭの信号を生成するのに対し、ＲＳの場合には、既に指定された低ＣＭシーケンスを用いるため、ＤＦＴプリコーダなしで周波数領域で直接生成することができる（すなわち、ＤＦＴプリコーダを省略可能である）。ただし、技術的には、ＦＤＭマッピングよりは、巡回シフトを用いるＣＤＭマッピングをＲＳ区間に適用することが、下記の理由でより好ましい。
【０２０４】
−  ＲＳにＦＤＭマッピングを用いる場合に、様々な長さのシーケンス設計が必要である。すなわち、既存ＬＴＥにおいてＲＳのための最小のシーケンス長は１２であるが、周波数因子（ＦＦ）（または、副搬送波間隔）が２の場合は、長さ６の新しいシーケンス設計が必要である。
【０２０５】
−  ＲＳにＦＤＭマッピングを用いる場合に、特定周波数ポジションのチャネルを推定し、他の部分に対しては内挿（ｉｎｔｅｒｐｏｌａｔｉｏｎ）を行うので、高い周波数選択的チャネルではチャネル推定性能が劣化することがある。しかし、ＣＤＭマッピングの場合には、ＲＳがすべての周波数領域をカバーするので、そのような性能劣化がない。
【０２０６】
第二のリソース割当方法として、動的ＡＣＫ／ＮＡＣＫリソース割当の場合に、既存ＬＴＥの暗黙的（ｉｍｐｌｉｃｉｔ）方法を再利用することができる。例えば、特定ＤＬ ＣＣ（例、Ｐｒｉｍａｒｙ ＤＬ ＣＣ）のＤＬグラントに該当するＰＤＣＣＨの最小（ｌｏｗｅｓｔ）のＣＣＥインデックスに相応し、かつ、ＬＴＥ規則（ｎr＝ｎcce＋Ｎ＿ＰＵＣＣＨ(1)）に従うリソースインデックスを類推することができる。ｎrは、リソースＡ（及び／またはリソースＢ）インデックスを表し、ｎcceは、ＰＤＣＣＨを構成する最小のＣＣＥインデックスを表し、Ｎ＿ＰＵＣＣＨ(1)は、上位層により設定される値を表す。一例として、ＲＳ区間は、類推されたリソースインデックスに該当するリソースインデックスに従うことができる。制御情報の場合に、類推されたリソースインデックスからＰＲＢインデックスを再び類推した後に、該当のＰＲＢで該当のリソース（例、拡散コード及び／または周波数因子による副搬送波シフト（またはオフセット、インデックス））を用いて複数のＤＬ ＣＣに対するＡＣＫ／ＮＡＣＫを伝送することができる。あるいは、制御情報に対するリソースインデックスからＲＳに対するリソースインデックスを類推する場合に、制御情報区間にはＲＳリソース（例、巡回シフト、直交カバー、ＰＲＢインデックスの組み合わせ）のうち、巡回シフトインデックスに対応するリソースが用いられないので、ＲＳに用いられる巡回シフトインデックスは制御情報に対するリソースインデックスから類推することができない。この場合、ＲＳリソースの巡回シフトインデックスは特定値（例、ｎcs＝０）と仮定して用いることができる。
【０２０７】
図３５〜図４１は、本発明の実施例によってリソースインデックスを定義する方法を例示する。図３５〜図４１は、制御情報のためのリソースインデックス（すなわち、リソースＡインデックス）を、副搬送波マッピングパターン／位置（例、副搬送波インデックスまたはオフセット）と拡散コード（例、直交コード）との組み合わせで定義する場合を中心に例示した。制御情報伝送のためのＰＲＢは、ＲＳのためのＰＲＢが確認されると、同一のＰＲＢに設定されるとよい。他の例として、制御情報伝送のためのＰＲＢは、物理制御チャネル（例、ＰＤＣＣＨ）／ＲＲＣシグナリングされてもよい。一方、この例で、制御情報のための周波数因子による副搬送波シフト（または、オフセット、インデックス）は、ＲＳの巡回シフトインデックスから類推可能である。他の例として、周波数因子による副搬送波シフト（または、オフセット、インデックス）は、ＲＲＣシグナリングされてもよい。ここで、周波数因子は、ＲＲＣシグナリングされてもよく、ＤＬ ＣＣの個数によって暗黙的に決定されてもよい。すなわち、周波数因子は、システムにより設定（ｃｏｎｆｉｇｕｒａｔｉｏｎ）されてもよく、あらかじめ指定されてもよい。この場合、制御情報のためのチャネルリソースは、細部リソースの組み合わせ（例、［ＰＲＢ、拡散コード］または［ＰＲＢ、拡散コード、周波数因子］）を指示するための代表インデックスは別に定義されなくてもよい。
【０２０８】
図３５〜図４１を参照すると、ボックス中の数字は、リソースインデックス（すなわち、制御情報伝送のためのリソースＡインデックス）を意味する。この例において、制御情報のためのリソースインデックスは［直交コードインデックス、副搬送波シフト（または、オフセット、インデックス）］とリンクされる。そのため、制御情報はリソースインデックスに対応する直交コードを用いてＳＣ−ＦＤＭＡシンボルレベルで拡散され、リソースインデックスに対応する副搬送波にマッピングされる。図３５〜図４１は、リソースインデックスを周波数リソース（副搬送波インデックス）が増加する順にカウントしたが、まず直交コードインデックス軸に沿ってカウントしてもよい。図３５Ｂ、図３６Ｂ、図３７Ｂ、図３８Ｂ、図３９Ｂ及び図４０Ｂは、ＲＳ多重化次数（ｍｕｌｔｉｐｌｅｘｉｎｇ  ｏｒｄｅｒ）により制御情報のためのリソースインデクシングが制限される例を示している。例えば、ＲＳ多重化次数を３と仮定し、制御情報伝送のためにＳＦ＝４のウォルシュコードを用いると仮定する場合に、既存ＬＴＥのように［＋１ ＋１ −１ −１］（リソースインデックス３）が用いられなくてもよい。
【０２０９】
この例で説明したリソースインデックス値は、相対値（例、オフセット）でよい。例えば、既存ＬＴＥではバンドの最も外側にＰＵＣＣＨフォーマット２／２ａ／２ｂが伝送され、その内側にＰＵＣＣＨフォーマット１／１ａ／１ｂと２／２ａ／２ｂが共存する１ＰＲＢがあり、その内側にＰＵＣＣＨフォーマット１／１ａ／１ｂが伝送されることが可能である。ＰＵＣＣＨフォーマット１／１ａ／１ｂのためのＰＲＢとＰＵＣＣＨフォーマット２／２ａ／２ｂのためのＰＲＢとが共存する場合（ＬＴＥでは１つのＰＲＢのみこのようなことを許容する）に、当該ＰＲＢでＨＡＲＱ−ＡＣＫ／ＮＡＣＫリソースの個数がＭであれば、図面中の数字ｎは、実質的にＭ＋ｎを示すことができる。
【０２１０】
図４１は、直交リソースインデックスを直交コードインデックス別にスタガリング（ｓｔａｇｇｅｒｉｎｇ）または周波数軸に沿って巡回シフトさせる場合を例示する。この例は、図３７Ａで、リソースインデックスに対して直交コードインデックス別に１個の副搬送波ずつスタガリングを適用した場合を示す。巡回シフトあるいは直交コードインデックスは、ＳＣ−ＦＤＭＡシンボルレベル／スロットレベルでセル特定／端末特定にホッピングすることができる。
【０２１１】
図４２は、ＲＳのためのリソースインデクシング方法について説明する。ＲＳのためのリソースインデクシングは、既存ＬＴＥに定義された方法に従うことができる。
【０２１２】
図４２を参照すると、ボックス中の数字は、リソースインデックス（すなわち、ＲＳ伝送のためのリソースＢのインデックス）を意味する。この例では、ＲＳのためのリソースインデックスは［巡回シフト値、直交コードインデックス］とリンクされる。したがって、ＲＳシーケンスは、リソースインデックスに対応する値だけ周波数軸に沿って巡回シフトされ、リソースインデックスに対応する直交コードで時間領域でカバリングされる。同図で、
【数７１】
0005973353.tif 000089
は、巡回シフト間隔を意味し、用いられる巡回シフト値は
【数７２】
0005973353.tif 000090
でよい（ｃは、正の整数）。巡回シフトによる位相シフト値は、
【数７３】
0005973353.tif 000091
と与えられるとよい。ｎsは、スロットインデックスであり、ｌは、ＳＣ−ＦＤＭＡシンボルインデックスであり、
【数７４】
0005973353.tif 000092
は、巡回シフト値であり、ＮRBscは、リソースブロックをなす副搬送波の個数である。
【０２１３】
この例で、ＲＳのためのリソースインデックスは、巡回シフト軸に沿ってまずカウントしたが、直交コード軸に沿ってまずカウントしてもよい。
【０２１４】
ＲＳの
【数７５】
0005973353.tif 000093
と制御情報の周波数因子（あるいは、それに相応する線形演算、例えば、周波数因子の逆数）は、物理制御チャネル（例、ＰＤＣＣＨ）またはＲＲＣシグナリングを通じてそれぞれシグナリングすることができる。
【０２１５】
また、制御情報区間のリソースインデクシングは、ＲＳ区間のリソースインデクシングに相応するようにすることができる。この場合、制御情報リソースインデックスあるいはＲＳリソースインデックスのいずれか一方のみを、物理制御チャネル（例、ＰＤＣＣＨ）／ＲＲＣシグナリングを通じて端末に送り、それから残りのリソースインデックスを類推することができる。例えば、周波数因子は、ＲＳで用いられる巡回シフトに関する情報（例、巡回シフト間隔）から類推できる。もし、従来の
【数７６】
0005973353.tif 000094
のシグナリングをそのまま再利用する場合に、一度の
【数７７】
0005973353.tif 000095
シグナリングにより、ＲＳのための
【数７８】
0005973353.tif 000096
、制御情報のための周波数因子（間隔）の両方を指定することができる。具体的に、図４２のリソースインデクシングと図３５Ｂ、図３６Ｂ、図３７Ｂ、図３８Ｂ、図３９Ｂ及び図４０Ｂのリソースインデクシングとをそれぞれ関連付けることができる。
【０２１６】
表１８には、
【数７９】
0005973353.tif 000097
及び周波数因子のマッピング例を示す。
【０２１７】
【表１８】
0005973353.tif 000098
【０２１８】
表１９には、可用リソース数（すなわち、多重化次数）を考慮した
【数８０】
0005973353.tif 000099
及び周波数因子のマッピング例を示す。例えば、１ ＳＣ−ＦＤＭＡシンボル内で巡回シフトによる多重化次数が６の場合に、
【数８１】
0005973353.tif 000100
及びＦＦ＝６をペアリングできる。
【０２１９】
【表１９】
0005973353.tif 000101
【０２２０】
他の例として、周波数因子を、ＲＲＣシグナリングしたり、ＤＬ ＣＣの個数によって暗黙的（ｉｍｐｌｉｃｉｔ）に決定したりできる。周波数因子をＤＬ ＣＣの個数によって暗黙的に変更する一例を取り上げる。より具体的に、周波数因子は、構成された（ｃｏｎｆｉｇｕｒｅｄ）ＤＬ ＣＣの個数によって暗黙的に決定したり、活性化された（ａｃｔｉｖａｔｅｄ）ＤＬ ＣＣの個数によって暗黙的に決定したりすることができる。例えば、５個の構成された（または活性化された）ＤＬ ＣＣのための周波数因子は２にあらかじめ指定して使用することができる。４、３、２、１個の構成された（または活性化された）ＤＬ ＣＣのための周波数因子はそれぞれ、３、４、６、１２のように暗黙的に指定して使用することができる。
【０２２１】
図４３Ａには、本実施例によって制御情報を多重アンテナを通じて伝送するための信号処理手順を例示する。図４３Ａを参照すると、全体的な流れは、実施例１及び２で図２９〜図３４を参照して説明したのと類似しているので、主な相違点であるＴｘＤ（Ｔｒａｎｓｍｉｔ  Ｄｉｖｅｒｓｉｔｙ）マッパーを中心に説明する。ＴｘＤマッパーは、多重アンテナ（ポート）を通じて制御情報を伝送するためのリソース割当／ＭＩＭＯ（Ｍｕｌｔｉｐｌｅ  Ｉｎｐｕｔ  Ｍｕｌｔｉｐｌｅ  Ｏｕｔｐｕｔ）プリコーディング／プロセスなどを行う。
【０２２２】
以下、ＴｘＤマッパーを用いてＰＵＣＣＨを多重アンテナモードで伝送する方式について例示する。便宜上、２Ｔｘ伝送ダイバーシティ方式（ｔｒａｎｓｍｉｔ  ｄｉｖｅｒｓｉｔｙ  ｓｃｈｅｍｅ）を説明するが、下の例示は、ｎ−Ｔｘ伝送ダイバーシティ方式にも同一／類似に拡張可能である。便宜上、上述と同様、制御情報伝送のための（準）直交リソースをリソースＡとし、ＲＳ伝送のための（準）直交リソースをリソースＢとする。リソースＡとリソースＢの論理インデックスは互いにリンク可能である。例えば、リソースＢの論理インデックスが与えられると、リソースＡの論理インデックスが自動的に与えられる。また、リソースＡとリソースＢに対する論理インデックスの物理的構成方法は互いに異ならせることができる。主に、下記２つの場合が存在する。
【０２２３】
１）制御情報を、いずれのアンテナ（ポート）においても同一ＰＲＢを通じて伝送することができる。
【０２２４】
Ａ．制御情報を、アンテナ（ポート）別に選択された２個の互いに異なるリソースＡ（例、直交コード、及び周波数因子による副搬送波シフト（またはオフセット、インデックス）の組み合わせ）を通じて伝送することができる。例えば、直交コードは、ウォルシュコード、ＤＦＴコードを含む。周波数因子は、Ｎsc／Ｎfreqまたはその逆数と与えることができる。Ｎscは、ＰＲＢ内の副搬送波の個数を表し、Ｎfreqは、ＰＲＢ内で制御情報伝送に用いられる副搬送波の個数を表す。
【０２２５】
Ｂ．ＲＳを、アンテナ（ポート）別に選択された２個の互いに異なるリソースＢ（例、巡回シフト及びＤＦＴカバーの組み合わせ）を通じて伝送することができる。
【０２２６】
２）制御情報を、アンテナごとに互いに異なるＰＲＢを通じて伝送することができる。一例として、制御情報は、アンテナ（ポート）０でＰＲＢ＃４を通じて伝送し、アンテナ（ポート）１でＰＲＢ＃６を通じて伝送することができる。
【０２２７】
Ａ．互いに異なるアンテナ（ポート）を通じて伝送される制御情報間には、リソースが特に制約されない（すなわち、互いに同一でも異なってもよい）。
【０２２８】
Ｂ．互いに異なるアンテナ（ポート）を通じて伝送されるＲＳ間には、リソースが特に制約されない（すなわち、互いに同一でも異なってもよい）。
多重アンテナ伝送（例、２Ｔｘ伝送）モードで、制御情報伝送のための２個のリソースＡ（例、直交コード、及び周波数因子による副搬送波ポジション（例、シフト、オフセットまたはインデックス）の組み合わせ）と、ＲＳ伝送のための２個のリソースＢ（例、巡回シフト及びＤＦＴカバーの組み合わせ）は、あらかじめ定義されてもよく、物理制御チャネル（例、ＰＤＣＣＨ）またはＲＲＣシグナリングを通じて与えられてもよい。この場合、制御情報とＲＳのためのシグナリングは個別に行われるとよい。また、いずれか一方のアンテナ（ポート）のためのリソース情報がシグナリングされると、他方のアンテナ（ポート）のためのリソース情報は、既にシグナリングされたリソース情報から類推できる。一例として、コードインデックスｍ及び／または周波数因子による副搬送波ポジション（例、シフト、オフセットまたはインデックス）は、あらかじめ指定されもよく、基地局からシグナリングされもよい。他の例として、コードインデックスｍ及び／または周波数因子による副搬送波ポジション（例、シフト、オフセットまたはインデックス）は、ＰＤＣＣＨを構成するＣＣＥインデックスと暗黙的（ｉｍｐｌｉｃｉｔｌｙ）にリンクされてもよい。さらに他の例として、コードインデックスｍ及び／または周波数因子による副搬送波ポジション（例、シフト、オフセットまたはインデックス）は、ＰＤＣＣＨまたはＲＲＣシグナリングを通じて明示的に指定されてもよい。一方、コードインデックスｍ及び／または周波数因子による副搬送波ポジション（例、シフト、オフセットまたはインデックス）は、サブフレーム単位、スロット単位、複数のＳＣ−ＦＤＭＡシンボル単位に変更可能である。すなわち、コードインデックスｍ及び／または周波数因子による副搬送波ポジション（例、シフト、オフセットまたはインデックス）は、一定の時間区間単位（例、スロット）でホッピング可能である。
【０２２９】
もし、ＲＳ区間の多重化次数が制御情報区間の多重化次数の２倍以上であるとすれば、次のような２Ｔｘ伝送ダイバーシティ方式を適用することができる。この時、ＲＳ区間のリソース（ＣＳ＋ＯＣ＋ＰＲＢ）のうちの２つは、２個の送信アンテナそれぞれのチャネル推定のために用いることができ、制御情報区間には１個のリソース（副搬送波ポジション＋ＯＣ＋ＰＲＢ）のみを用いることができる。
【０２３０】
伝送ダイバーシティ方式の他の例として、周波数領域でＤＦＴプリコーダの出力値にアラマウティ方式（Ａｌａｍｏｕｔｉ  ｓｃｈｅｍｅ）を適用できる。アラマウティ方式は、下記のような行列で表現できる。
【０２３１】
【数８２】
0005973353.tif 000102
【０２３２】
ここで、列０と列１はそれぞれ、アンテナ（ポート）０とアンテナ（ポート）１に伝送される信号ベクトルを意味し、行０と行１はそれぞれ、第１副搬送波と第２副搬送波に伝送される複素信号ベクトルを意味する。＊は、複素共役演算（ｃｏｍｐｌｅｘ  ｃｏｎｊｕｇａｔｅ  ｏｐｅｒａｔｉｏｎ）を表す。この行列から線形変換（ｌｉｎｅａｒ  ｔｒａｎｓｆｏｒｍａｔｉｏｎ）されたいずれの形態も、本発明に適用可能である。
【０２３３】
本発明の実施例に係るＰＵＣＣＨフォーマットにアラマウティ方式を単純に適用すると、アンテナ（ポート）１のＳＣ−ＦＤＭＡシンボルにマッピングされるＤＦＴシンボルの順序が、２個のＤＦＴシンボル単位に取り替えられる。例えば、アンテナ（ポート）０のＳＣ−ＦＤＭＡシンボルには、ｄ＿０、ｄ＿１、ｄ＿２、ｄ＿３がマッピングされるのに対し、アンテナ（ポート）１のＳＣ−ＦＤＭＡシンボルには−ｄ＿１*、ｄ＿０*、−ｄ＿３*、ｄ＿２*がマッピングされる。そのため、アンテナ（ポート）１にマッピングされる信号の単一搬送波特性が崩れ、アンテナ（ポート）１でＣＭが増加するという問題が生じる。
【０２３４】
図４３Ｂ及び図４３Ｃを参照して、アラマウティ方式を適用する場合にもＣＭ増加を招かない多重アンテナコーディング方式をさらに説明する。便宜上、図４３Ｂ及び図４３Ｃは、図４３の信号処理手順において拡散演算から示す。
【０２３５】
図４３Ｂ及び図４３Ｃを参照すると、制御情報をアンテナ（ポート）０にマッピングする時は、ＤＦＴプリコーディング後に複素信号をそのまま副搬送波にマッピングする。一方、制御情報をアンテナ（ポート）１にマッピングする時は、（１）ＳＣ−ＦＤＭＡシンボル内の副搬送波に逆順序でマッピング、（２）複素共役演算（ｃｏｍｐｌｅｘ  ｃｏｎｊｕｇａｔｅ  ｏｐｅｒａｔｉｏｎ）、（３）交互にマイナス符号（ａｌｔｅｒｎａｔｉｖｅ  ｍｉｎｕｓ  ｓｉｇｎ）付加、を行う。（１）〜（３）の順序は例示的なものであり、これらの順序は互いに変更可能である。本方式は、明細書全般にわたって同一の方法で適用可能である。例えば、図２９または図３０を参照すると、第１アンテナ（ポート）及び第２アンテナ（ポート）を通じて伝送されるＳＣ−ＦＤＭＡシンボルにマッピングされる複素シンボル列は、下記のように与えることができる。
【０２３６】
第１アンテナ（ポート）：ａk
第２アンテナ（ポート）：（−１）mod(k,2)・ｃｏｎｊ（ａ11-k）    …（式１６）
【０２３７】
ここで、ａkは、ＳＣ−ＦＤＭＡシンボルの副搬送波にマッピングされる複素シンボル列を表し、ｋは、複素シンボルインデックスを表す（０〜１１）。ｍｏｄ（ａ，ｂ）は、ａをｂで割った余りを表す。ｃｏｎｊ（ａ）は、ａの複素共役値を表す。
【０２３８】
式１６は、複素信号がＳＣ−ＦＤＭＡシンボル内の副搬送波に全てマッピングされる場合を想定する。図３１〜図３４のように周波数因子が用いられる場合を考慮すると、式１６は下記のように一般化可能である。
【０２３９】
第１アンテナ（ポート）：ａk
第２アンテナ（ポート）：（−１）mod(k,2)・ｃｏｎｊ（ａn-k）または（−１）mod(k+1,2)・ｃｏｎｊ（ａn-k）    …（式１７）
【０２４０】
ここで、ｎは、ＳＣ−ＦＤＭＡシンボル内の副搬送波にマッピングされる複素シンボル列（ａk）の長さ−１を表す（例、０≦ｎ≦１１）。
【０２４１】
また、第１アンテナ（ポート）または第２アンテナ（ポート）のＳＣ−ＦＤＭＡシンボルにマッピングされる複素シンボル列は、周波数方向に巡回シフト（例、複素シンボル列長の半分だけシフト）されてよい。表２０〜表２２は、本実施例によってアラマウティ方式を適用した場合を例示する。
【０２４２】
【表２０】
0005973353.tif 000103
【０２４３】
【表２１】
0005973353.tif 000104
【０２４４】
【表２２】
0005973353.tif 000105
【０２４５】
（実施例３）
図４４には、本実施例に係るＰＵＣＣＨフォーマットの構造及びそのための信号処理手順を例示する。全体的な流れは、実施例１及び２で図２９〜図４３を参照して説明したのと類似しているので、主な相違点であるＣＡＺＡＣ変調器について説明する。
【０２４６】
図４４を参照すると、ＣＡＺＡＣ変調器は、該当のスロットに分周された変調シンボル（［ｃ＿０，ｃ＿１，…，ｃ＿Ｌ／２−１］と［ｃ＿Ｌ／２，ｃ＿Ｌ／２＋１，…，ｃ＿Ｌ−１］）を該当のシーケンスに変調して、ＣＡＺＡＣ変調シンボル（［ｄ＿０，ｄ＿１，…，ｄ＿Ｌ／２−１］と［ｄ＿Ｌ／２、ｄ＿Ｌ／２＋１，…，ｄ＿Ｌ−１］）を生成する。ＣＡＺＡＣ変調器は、例えば、ＣＡＺＡＣシーケンスあるいはＬＴＥ ＣＧ（Ｃｏｍｐｕｔｅｒ  Ｇｅｎｅｒａｔｅｄ）１ＲＢ用シーケンスを含む。例えば、ＬＴＥ ＣＧシーケンスをｒ＿０，…，ｒ＿Ｌ／２−１とすれば、ＣＡＺＡＣ変調シンボルはｄ＿ｎ＝ｃ＿ｎ＊ｒ＿ｎあるいはｄ＿ｎ＝ｃｏｎｊ（ｃ＿ｎ）＊ｒ＿ｎを意味することができる。スロットレベルでジョイントコーディングした場合が図示されているが、本発明は、スロット別セパレートコーディング（ｓｅｐａｒａｔｅ  ｃｏｄｉｎｇ）、スロットレベル反復、周波数因子を適用する場合も同一に適用可能である。この例では、基本シーケンスの役割を有するＣＡＺＡＣやＣＧシーケンスが、既にセル特定（ｃｅｌｌ−ｓｐｅｃｉｆｉｃ）であるので、セル特定スクランブルを省略することができる。あるいは、さらなるランダム化のために端末特定スクランブルのみを適用することもできる。リソース割当方法やＲＳインデックスとの関係、シグナリング方法、伝送ダイバーシティは、上述の実施例で言及した方法を用いればよい。
【０２４７】
（実施例４）
実施例１〜３で例示した新規ＰＵＣＣＨフォーマットに動的ＡＣＫ／ＮＡＣＫ（Ａ／Ｎ）リソース割当方式を適用する場合について説明する。以下の説明は、本発明の新規ＰＵＣＣＨフォーマットの他、他の新規ＰＵＣＣＨフォーマットにも同一に適用可能である。例えば、ＬＴＥのＰＵＣＣＨフォーマット２を多重ＡＣＫ／ＮＡＣＫのための新規ＰＵＣＣＨフォーマットとして再利用できる。この場合、ＡＣＫ／ＮＡＣＫのためのリソースインデクシングは、ＬＴＥ ＰＵＣＣＨフォーマット２で用いる方法、すなわち、巡回シフト軸にまずインデクシングし、次のＰＲＢに移る方法を用いることができる。ＬＴＥ ＰＵＣＣＨフォーマット２を新規ＰＵＣＣＨフォーマットとすることは、従来の構造を再利用するという長所がある。しかし、ＰＵＣＣＨフォーマット２では１３ビット情報までしか支援されず、コーディングレートが制限されるため、上述の実施例で提案された構造に比べて柔軟性及びパフォーマンスの側面で劣っている。
【０２４８】
新規ＰＵＣＣＨフォーマットのための領域（あるいはＰＲＢ）を、下記のように定義することができる。
【０２４９】
１．ＬＴＥに定義されたＰＵＣＣＨ領域の他に、ＬＴＥ−Ａのための追加のＰＵＣＣＨ領域（あるいはＰＲＢ）を定義することができる。
【０２５０】
２．ＬＴＥに定義されたＰＵＣＣＨ領域（あるいはＰＲＢ）の一部を借用できる。すなわち、ＰＵＣＣＨ領域の定義はＬＴＥの方法に従うものの、これらのリソースのうちの一部を新規ＰＵＣＣＨフォーマットのためのリソースとして用いることができる。
【０２５１】
以下、キャリアアグリゲーションシナリオに応じたＰＵＣＣＨフォーマット適応（ａｄａｐｔａｔｉｏｎ）について説明する。ＰＵＣＣＨフォーマット適応に用いられるＰＵＣＣＨフォーマットは、特に制限されない。本明細書で説明されるＰＵＣＣＨフォーマット適応は、下記の２つの場合に大別される。
【０２５２】
１．キャリアアグリゲーション構成に応じたＰＵＣＣＨフォーマット適応
２．端末に割り当てられるＰＤＣＣＨ及び／またはＰＤＳＣＨの個数に応じたフォーマット適応
Ａ．ＰＤＣＣＨ／ＰＤＳＣＨの個数だけでＰＵＣＣＨフォーマット適応
Ｂ．ＰＤＣＣＨあるいはＰＤＳＣＨが伝送されるＤＬ ＣＣの個数に応じたフォーマット適応
【０２５３】
第一のＰＵＣＣＨフォーマット適応方式として、キャリアアグリゲーション構成に応じたフォーマット適応を説明する。セル特定あるいは端末特定に併合されているＤＬ ＣＣの個数（Ｎ）が、特定値（例、２個）未満である場合に、既存ＬＴＥのように、ＨＡＲＱ−ＡＣＫ／ＮＡＣＫリソースをＰＤＣＣＨの最小（ｌｏｗｅｓｔ）ＣＣＥインデックスに相応するようにすることができる。ここで、併合されたＤＬ ＣＣは、クロスキャリアスケジューリングのためにＰＤＣＣＨ検出を試みるべき候補ＤＬ ＣＣでよい。また、併合されたＤＬ ＣＣは、セル別に構成されたＤＬ ＣＣセットの一部でもよい。また、併合されたＤＬ ＣＣは、活性化された（ａｃｔｉｖａｔｅｄ）ＤＬ ＣＣでもよい。この時、用いられるＰＵＣＣＨフォーマットは、既存ＬＴＥのＰＵＣＣＨフォーマット１／１ａ／１ｂでよい。Ｎ＞＝３の場合に用いられうる具体的な技術には、Ｍ（Ｍ＜＝Ｎ）個のリソースを用いて同時に伝送するＭＳＭ（Ｍｕｌｔｉ−Ｓｅｑｕｅｎｃｅ  Ｍｏｄｕｌａｔｉｏｎ）、あるいは多数のリソースのうち一部のみを選択して伝送するＨＡＲＱ−ＡＣＫ／ＮＡＣＫ多重化（または、シーケンス選択）がある。この時、用いられるＰＵＣＣＨフォーマットは、既存ＬＴＥのＰＵＣＣＨフォーマット１／１ａ／１ｂでよい。Ｎ＝１の場合、すなわち、キャリアアグリゲーションがない場合（すなわち、１ＤＬ−１ＵＬペアリング）のＨＡＲＱ−ＡＣＫ／ＮＡＣＫリソースは、既存ＬＴＥの規則及びＰＵＣＣＨフォーマット１／１ａ／１ｂをそのまま用いることができる。
【０２５４】
Ｎ個以上のＤＬ ＣＣがセル特定あるいは端末特定に併合されている場合に、ＨＡＲＱ−ＡＣＫ／ＮＡＣＫは、実施例１〜３を参照して例示した新規ＰＵＣＣＨフォーマットを通じて伝送することができる。新規ＰＵＣＣＨフォーマットのための領域（あるいはＰＲＢ）がＬＴＥと排他的に定義されているか、ＬＴＥと共存できるように定義されているかによらず、ＰＵＣＣＨリソースを、最小のＣＣＥインデックスと相応するように設定することができる。この時、伝送される多重ＨＡＲＱ−ＡＣＫ／ＮＡＣＫ情報は、多数のＤＬ ＣＣを通じて伝送されるデータに相応するものでよい。
【０２５５】
第二のＰＵＣＣＨフォーマット適応方式として、端末に割り当てられるＰＤＣＣＨ及び／またはＰＤＳＣＨの個数に応じたＰＵＣＣＨフォーマット適応を説明する。通常、ＰＤＣＣＨを含んでいるＤＬ ＣＣの個数と、スケジューリングされるＰＤＳＣＨを含んでいるＤＬ ＣＣの個数とは同一であるが、クロスキャリアスケジューリングが適用される場合には異なることがある。また、ＤＬ ＣＣ別にＰＤＣＣＨあるいはＰＤＳＣＨの個数が１個に限定されるとすれば、ＰＤＣＣＨ／ＰＤＳＣＨの個数は、ＰＤＳＣＨのために用いられるＤＬ ＣＣの個数でよい。ＨＡＲＱ−ＡＣＫ／ＮＡＣＫリソースのための暗黙的規則（ｉｍｐｌｉｃｉｔ  ｒｕｌｅ）は、ＰＤＣＣＨと関連を有することができ、ＰＤＳＣＨの個数とＰＤＣＣＨの個数とが同一なので、特に言及していない限り、ＰＤＣＣＨの個数を基準に説明する。また、ＰＤＣＣＨ／ＰＤＳＣＨが伝送されるＤＬ ＣＣの個数に応じたＰＵＣＣＨフォーマット適応は、ＰＤＣＣＨの個数に応じたＰＵＣＣＨフォーマット適応をそのまま拡張すればよいので、詳細な説明は省略する。
【０２５６】
１つの端末にスケジューリングされたＰＤＣＣＨの個数（Ｎ）が特定値未満の場合に、ＨＡＲＱ−ＡＣＫ／ＮＡＣＫ伝送のためのリソースは、ＰＤＣＣＨの最小ＣＣＥインデックスに相応するＬＴＥ規則に従うことができる。この時、用いられるＰＵＣＣＨフォーマットは、既存ＬＴＥのＰＵＣＣＨフォーマット１／１ａ／１ｂでよい。Ｎ＞＝３の場合に用いられるより具体的な技術は、Ｍ（Ｍ＜＝Ｎ）個のリソースを用いて同時に伝送するＭＳＭ（Ｍｕｌｔｉ−Ｓｅｑｕｅｎｃｅ  Ｍｏｄｕｌａｔｉｏｎ）、あるいは多数のリソースのうち一部のみを選択して伝送するＨＡＲＱ−ＡＣＫ／ＮＡＣＫ多重化（または、シーケンス選択）でよい。この時、用いられるＰＵＣＣＨフォーマットは、ＬＴＥのＰＵＣＣＨフォーマット１／１ａ／１ｂでよい。Ｎ＝１の場合に、すなわち、いずれか１つの端末のＰＤＣＣＨのみがスケジューリングされた場合に、ＨＡＲＱ−ＡＣＫ／ＮＡＣＫ伝送のためのリソースは、ＬＴＥの規則及びＰＵＣＣＨフォーマット１／１ａ／１ｂをそのまま用いることができる。
【０２５７】
１つの端末にＮ個以上のＰＤＣＣＨがスケジューリングされた時に、ＨＡＲＱ−ＡＣＫ／ＮＡＣＫは、新しく定義される新規ＰＵＣＣＨフォーマットを通じて伝送することができる。新規ＰＵＣＣＨフォーマットのための領域（あるいはＰＲＢ）が、既存ＬＴＥのＰＵＣＣＨフォーマットのための領域と排他的に定義されるか、あるいは共存するように定義されるかによらず、ＰＵＣＣＨリソースを、最小のＣＣＥインデックスと相応するように設定することができる。この時、多重ＨＡＲＱ−ＡＣＫ／ＮＡＣＫ情報は、多数のＤＬ ＣＣを通じて伝送されるデータに相応するものでよい。
【０２５８】
次に、エラーケースハンドリングについて説明する。説明の便宜上、Ｎ＝２と仮定する。もし、スケジューラが１端末に２個のＰＤＣＣＨ（通常、２個のＤＬ ＣＣを通じて伝送される２個のＰＤＳＣＨのためのものでよい。）を伝送するとしたときに、端末は、１個のＰＤＣＣＨがスケジューリングされたと誤検出（ｍｉｓｓ  ｄｅｔｅｃｔｉｏｎ）することがある。この場合、基地局は２個以上のＰＤＣＣＨのための新規ＰＵＣＣＨフォーマットを通じてＨＡＲＱ−ＡＣＫ／ＮＡＣＫ情報を受信することを期待するが、端末は１個のＰＤＣＣＨを検出したから、ＬＴＥ ＰＵＣＣＨフォーマットを通じてＨＡＲＱ−ＡＣＫ／ＮＡＣＫ伝送するはずである。基地局は、期待したのとは異なるＰＵＣＣＨフォーマットを受信することから、１個のＰＤＣＣＨに対してＤＴＸが発生したと認識することができる。
【０２５９】
端末のＤＴＸ状態を基地局が認識することは、ＩＲ（Ｉｎｃｒｅｍｅｎｔａｌ  Ｒｅｄｕｎｄａｎｃｙ）ベースのＨＡＲＱでパフォーマンスに影響を及ぼすことがある。例えば、ＤＴＸが発生すると、端末は、ＰＤＣＣＨが伝送されたそのものを知らず、よって、ＰＤＳＣＨのデコーディングされたソフトビット結果値をソフトバッファに保存することができない。そのため、ＤＴＸが発生すると、基地局はＨＡＲＱ再伝送時にＲＶ（Ｒｅｄｕｎｄａｎｃｙ  Ｖｅｒｓｉｏｎ）を変化させない、または、システムビット（ｓｙｓｔｅｍａｔｉｃ  ｂｉｔ）を可能な限り多く含ませて伝送をしなければならない。しかし、基地局が端末のＤＴＸ状態を知らず、他のＲＶの値を持って再伝送を行うと、再伝送時にＲＶが変化し、システムビットが損失するため、システムスループットに悪影響を及ぼすことがある。この理由から、３ＧＰＰはＷＣＤＭＡ規格から端末のＤＴＸ状態を基地局に知らせている。
【０２６０】
以下、新規ＰＵＣＣＨフォーマットにおいてＨＡＲＱ−ＡＣＫ／ＮＡＣＫのためのリソース決定方法及びＤＴＸハンドリング方法について説明する。ここで、新規ＰＵＣＣＨフォーマットは、多数のＤＬ ＣＣに相応するＨＡＲＱ−ＡＣＫ／ＮＡＣＫ、及びそれぞれのＤＬ ＣＣのＤＴＸ状態の両方を含む情報を共に伝送できるＰＵＣＣＨフォーマットと仮定する。例えば、５個のＤＬ ＣＣがあり、かつそれぞれのＤＬ ＣＣで２つのコードワードを伝送できる場合に、新規ＰＵＣＣＨフォーマットは、５個のＤＬ ＣＣに対するＡＣＫ／ＮＡＣＫ及びＤＴＸを支援するためには少なくとも１２ビットの情報を運ぶことができる。
【０２６１】
また、説明の容易のために、新規ＰＵＣＣＨフォーマットのためのＰＵＣＣＨリソースが、ＣＣ別に排他的に予約（ｒｅｓｅｒｖａｔｉｏｎ）される場合、及び複数のＣＣで少なくとも一部が共有される場合について説明するが、本発明がこれに制約されるものではない。ＰＵＣＣＨ伝送のためのリソースがＣＣごとに排他的に予約される一例として、４個のＤＬ ＣＣがあり、かつそれぞれのＤＬ ＣＣのために１０個のＰＵＣＣＨリソースが予約されているとすれば、ＰＵＣＣＨリソースは４０個（＝１０＊４）が予約され、ＰＵＣＣＨリソースインデックス０〜９はＤＬ ＣＣ＃０、１０〜１９はＤＬ ＣＣ＃１、２０〜２９はＤＬ ＣＣ＃２、３０〜３９はＤＬ ＣＣ＃３のために用いることができる（ＰＵＣＣＨリソーススタッキング（ｒｅｓｏｕｒｃｅ  ｓｔａｃｋｉｎｇ））。ＰＵＣＣＨのためのリソースが複数のＣＣで共有される場合の一例として、４個のＤＬ ＣＣがあり、かつそれぞれのＤＬ ＣＣのために１０個のＰＵＣＣＨリソースが予約されているとすれば、全てのＤＬ ＣＣのためにＰＵＣＣＨリソースインデックス０〜９を共有することができる。
【０２６２】
上述の実施例で説明したように、新規ＰＵＣＣＨフォーマットが存在しうるＰＵＣＣＨ領域（あるいはＰＲＢ）は、ＬＴＥ−Ａのために新しい領域（あるいは、リソースの一定区間）を定義したり、ＬＴＥに定義されたリソースの一部を借用して定義することができる。また、暗黙的ＡＣＫ／ＮＡＣＫリソース割当方法の例として、ＬＴＥのように「最小のＣＣＥ」概念を借用したり、他の暗黙的方法を適用することも可能である。
【０２６３】
以下、本発明の具体的なリソース割当例を説明する。便宜上、４個のＤＬ ＣＣで伝送される４個のＰＤＳＣＨのために４個のＨＡＲＱ−ＡＣＫ／ＮＡＣＫ情報を伝送しなければならないと仮定する。また、ＨＡＲＱ−ＡＣＫ／ＤＴＸ情報は、一つのＵＬ ＣＣ（例、アンカーＵＬキャリア）を通じて伝送されると仮定する。ここで、ＨＡＲＱ−ＡＣＫ／ＮＡＣＫは、ＡＣＫ、ＮＡＣＫ、ＤＴＸ、ＮＡＣＫ／ＤＴＸを含む。それぞれのＤＬ ＣＣのために１０個ずつ全４０個のＰＵＣＣＨリソースが予約（ｒｅｓｅｒｖｅｄ）されていると仮定する。また、本実施例は、１端末（すなわち、ＵＥ＃０）の立場で説明されるが、多重端末使用にも同一に適用することができる。また、排他的（ｅｘｃｌｕｓｉｖｅ）リソース定義で本実施例は０〜３９のリソースの順次インデクシングを説明するが、各ＤＬ ＣＣのために０〜９のインデックスを持つＰＵＣＣＨリソース領域が４個ある場合にも適用可能である。
【０２６４】
図４５には、端末＃０（ＵＥ＃０）の立場でＤＡＣＩ（Ｄｏｗｎｌｉｎｋ  Ａｓｓｉｇｎｍｅｎｔ  Ｃａｒｒｉｅｒ  Ｉｎｄｅｘ）と関連付けて多重ＰＤＣＣＨを伝送する一例を示す。この場合、新規ＰＵＣＣＨフォーマットは、全てのＤＬ ＣＣのＰＤＳＣＨに対する状態を共に伝送するので、既存ＬＴＥのＣＣＥベースの暗黙的マッピングを適用し難い。ここで、ＰＤＣＣＨが各ＣＣのために１個ずつ端末＃０に伝送される場合を仮定した。また、端末＃０の立場で全てのＰＤＣＣＨのデコーディングが成功し、ＤＴＸが発生していない場合を仮定した。また、説明の容易のために、各ＤＬ ＣＣでのＣＣＥインデクシングはそれぞれ０から始めると仮定する。もちろん、以前のＤＬ ＣＣのＣＣＥインデクシングまで含めて定義することも可能である。例えば、ＤＬ ＣＣ＃１のためのＣＣＥインデックスは１０〜１９でよい。
【０２６５】
ＤＡＣＩについて説明する。ＤＡＣＩは、端末に伝送されるＰＤＣＣＨに対する一種のカウンタであり、端末別に設定される。ＤＡＣＩは、複数のＰＤＣＣＨが伝送される場合に、各ＰＤＣＣＨの順序を表すことができる。図４５のように、４つのＰＤＣＣＨが伝送される場合に、ＤＡＣＩ値は０〜３の値を持つ。ＤＡＣＩは、該当のＰＤＣＣＨのＤＣＩフィールド内に含まれて端末に送られたり、他のシグナリング方法を通じて端末に送られたりすることができる。また、ＬＴＥ ＴＤＤに用いられるＤＡＩ（Ｄｏｗｎｌｉｎｋ  Ａｓｓｉｇｎｍｅｎｔ  Ｉｎｄｅｘ）フィールドをＤＡＣＩフィールドとして再利用することができる。
【０２６６】
一方、ＤＡＣＩは、カウンタではなく、全体ＤＬ ＣＣ内のＰＤＳＣＨの個数（あるいは、ＰＤＣＣＨの個数）を表すこともできる。例えば、図４５で、ＤＡＣＩがＰＤＣＣＨの個数を知らせるとした時に、各ＰＤＣＣＨ内にＤＡＣＩ値はいずれも４でよい。ＤＡＣＩ値がＰＤＣＣＨの個数を表す場合は、端末がＡＣＫ／ＮＡＣＫバンドリングモードでＡＣＫ／ＮＡＣＫを伝送する場合に適用することができる。ＡＣＫ／ＮＡＣＫバンドリングは、論理ＡＮＤ演算を通じて代表ＨＡＲＱ−ＡＣＫ／ＮＡＣＫを伝送する方法のことを指す。例えば、ＡＣＫ／ＮＡＣＫ結果のうちの少なくとも一つの結果がＮＡＣＫである場合に、代表値としてＮＡＣＫを伝送し、全ての結果がＡＣＫの時には、代表値としてＡＣＫを伝送する。もし、全体のＰＤＣＣＨの個数を意味するＤＡＣＩ値が４であるが、端末がデコーディングに成功したＰＤＣＣＨの個数が３であれば、１個がデコーディングされなかったことがわかり、代表値としてＮＡＣＫ、ＤＴＸまたはＮＡＣＫ／ＤＴＸ状態を基地局に知らせることができる。そのため、ＤＡＣＩ値を用いて基地局と端末はＤＴＸ状態がわかる。ＤＴＸが発生した場合にＮＡＣＫを伝送することは一例であり、ＤＴＸ状態は、情報を伝送しない方法にしてもよい。本発明は、ＤＴＸシグナリング方式に制約がない。
【０２６７】
説明の容易のために、ＤＡＣＩをＣＣインデックスカウンタとして活用する場合について説明する。ＤＡＣＩカウンタは、クロスキャリアスケジューリングのためのＣＩＦ（Ｃａｒｒｉｅｒ  Ｉｎｄｉｃａｔｏｒ  Ｆｉｅｌｄ）と相応するように設定することができる。例えば、ＣＩＦ値が３ビットであれば、ＤＡＣＩ値も同様、３ビットでよい。
【０２６８】
また、ＤＡＣＩは、低い周波数ＣＣから高い周波数ＣＣの順にカウントできる（あるいは逆順に、高い周波数ＣＣから低い周波数ＣＣの順）。あるいは、ＤＡＣＩは、プライマリキャリアから昇順で循環方式でカウントされてもよい。もし、一つのＤＬ ＣＣ内で複数のＰＤＣＣＨが伝送される場合に、ＤＡＣＩは、低いＣＣＥインデックスから高いＣＣＥインデックスの順にカウントされるとよい。例えば、ＤＬ ＣＣ＃０内にＤＬ ＣＣ＃１のＰＤＳＣＨのためのＰＤＣＣＨ０の最小のＣＣＥインデックスが１０である場合、及びＤＬ ＣＣ＃０内にＤＬ ＣＣ＃２のＰＤＳＣＨのためのＰＤＣＣＨ１の最小のＣＣＥインデックスが２０である場合には、ＰＤＣＣＨ０がＰＤＣＣＨ１よりも低いＤＡＣＩ値を有することができる。他の例として、各ＰＤＣＣＨで伝送されるＤＡＣＩ値は、特別な規則なしに、ネットワークが任意に決定して伝送してもよい。すなわち、一定の規則を有しなくてもよい。
【０２６９】
また、ＤＡＣＩは、ＬＴＥ ＴＤＤに用いられるＤＡＩと連動付けて組み合わせと定義することができる。例えば、４個状態のＤＡＩ及び５個状態のＤＡＣＩがある場合に、全２０個の（ＤＡＩ，ＤＡＣＩ）組み合わせが０〜１９の範囲を持つインデックスで定義されてもよい。この場合にも、ここで説明される本発明をそのまま適用するのには無理がない。
【０２７０】
基本的に、ＤＡＣＩは、端末がＤＴＸ検出を可能にすることに主な目的がある。例えば、図４５で、ＤＬ ＣＣ＃２のＰＤＣＣＨデコーディングに失敗したとしよう。すると、端末＃０は、ＤＣＩ０、ＤＣＩ１、ＤＣＩ３のそれぞれを通じてＤＡＣＩカウンタ値０、１、３を獲得する。端末＃０は、ＤＡＣＩ＝２が欠落しているので、ＤＣＩ２に対してブラインドデコーディングに失敗（すなわち、ＤＴＸ状態に入る）したという事実を認識し、該状態を基地局に伝送することができる。
【０２７１】
しかし、ＤＡＣＩを用いるとしても、端末＃０は、最後のＤＣＩのブラインドデコーディングの失敗の有無はわからない。言い換えると、基地局が最後のＤＣＩを伝送したにもかかわらず、端末＃０は、最後のＤＣＩデコーディングに失敗した場合に、端末＃０は最後のＤＣＩのデコーディングに失敗したのか、基地局が当該ＤＣＩを初めから伝送しなかったのかがわからない。図４５を参照すると、基地局がＤＬ ＣＣ＃３でＤＣＩ３を伝送した時に、端末＃０がＤＣＩ３のデコーディングに失敗した場合は、端末＃０は、ＤＣＩ３が初めからなかったのか、デコーディングに失敗したのかがわからない。
【０２７２】
そこで、本実施例は、基地局と端末に全てのＤＬ ＰＤＳＣＨに対するＡＣＫ／ＮＡＣＫ（ＤＴＸを含む）状態を正確に提供するための方法を提供する。具体的に、本実施例は、ＤＡＣＩカウンタの最後の値が伝送されたＰＤＣＣＨに相応するＰＵＣＣＨリソースを用いてＡＣＫ／ＮＡＣＫを伝送することを提案する。図面を参照して具体的に説明する。
【０２７３】
図４６は、本発明に係る一実施例を示す。この例は、基地局が４個のＰＤＣＣＨを伝送し、端末＃０も、全てのＰＤＣＣＨのデコーディングに成功した場合を例示する。この場合、４個のＤＬ ＣＣで伝送される４個のＰＤＳＣＨのためのＨＡＲＱ−ＡＣＫ／ＮＡＣＫ情報は、検出されたＰＤＣＣＨのうち、最大のＤＡＣＩ値３を持っているものの最小のＣＣＥインデックス（４）に相応するＰＵＣＣＨリソース３４を通じて伝送される。もし、ＤＡＣＩ値が逆順でカウントされるとすれば（例、３、２、１、０）、最初のＰＤＣＣＨ（ＤＬ ＣＣ＃０）の最小のＣＣＥインデックス２に相応するＰＵＣＣＨリソース２を通じてＨＡＲＱ−ＡＣＫ／ＮＡＣＫ情報を伝送することができる。
【０２７４】
図４７は、端末＃０がＤＣＩ２のＰＤＣＣＨデコーディングには成功し、ＤＣＩ３に対するＰＤＣＣＨデコーディングに失敗した場合を示す。基地局は、端末＃０がＤＣＩ３のデコーディングに成功したと仮定し、端末＃０からＰＵＣＣＨリソース３４を通じてＨＡＲＱ−ＡＣＫ／ＮＡＣＫ情報を受信することを期待するはずである。しかし、端末＃０がＤＣＩ２のデコーディングには成功し（ＤＣＩ０、ＤＣＩ１のデコーディングの成功の有無は、端末がＤＡＣＩを通じて認識できるので関係ない）、ＤＣＩ３のデコーディングに失敗した場合に、端末＃０は、ＤＣＩ２に相応するＰＵＣＣＨリソース２０を通じてＨＡＲＱ−ＡＣＫ／ＮＡＣＫ情報を伝送する。そのため、伝送されるリソースを通じて最後のＤＣＩ３でのＤＴＸの有無を基地局が認識できる。
【０２７５】
図４８は、ＤＣＩ０、ＤＣＩ２、ＤＣＩ３に対するデコーディングに失敗した場合を示す。端末＃０は、ＤＣＩ１のデコーディングに成功したので、受信したＤＡＣＩを通じてＤＣＩ０のデコーディングの失敗を推測できる。しかし、端末＃０は、ＤＣＩ２とＤＣＩ３のＤＴＸの有無はわからない。端末＃０は、ＤＣＩ２とＤＣＩ３のＤＴＸの有無はわからないが、端末＃０は、検出されたＰＤＣＣＨのうち、最大のＤＡＣＩ値１を持っているものの最小のＣＣＥインデックス６と相応するＰＵＣＣＨリソース１６を通じてＨＡＲＱ−ＡＣＫ／ＮＡＣＫ情報を伝送する。これにより、基地局は、ＤＣＩ２とＤＣＩ３に対してＤＴＸが発生したことがわかる。
【０２７６】
図４９は、ＤＬ ＣＣ＃３で２個のＰＤＣＣＨが伝送される場合を例示する。この例は、一つのＤＬ ＣＣを通じて複数のＰＤＣＣＨが伝送される場合に、ＤＡＣＩは、低いＣＣＥインデックスから高いＣＣＥインデックスの順にカウントされると仮定する。そのため、端末＃０は、検出されたＰＤＣＣＨのうち、最大のＤＡＣＩ値３を持っているものの最小のＣＣＥインデックス６と相応するＰＵＣＣＨリソース３６を通じて、ＨＡＲＱ−ＡＣＫ／ＮＡＣＫ情報を伝送する。
【０２７７】
図５０は、ＤＬ ＣＣ＃３で２つのＰＤＣＣＨが伝送されるが、低いＣＣＥインデックスを持つＤＣＩが、より大きいＤＡＣＩ値を持つ場合を例示する。そのため、端末＃０は、検出されたＰＤＣＣＨのうち、最大のＤＡＣＩ値３を持っているものの最小のＣＣＥインデックス４と相応するＰＵＣＣＨリソース３４を通じてＨＡＲＱ−ＡＣＫ／ＮＡＣＫ情報を伝送する。
【０２７８】
次に、図５１及び図５２を参照して、それぞれのＤＬ ＣＣのためのＰＵＣＣＨリソースが互いに共有されるように定義される場合を説明する。
【０２７９】
図５１は、それぞれのＤＬ ＣＣのためのＰＵＣＣＨリソースが互いに共有される状況で、端末＃０が４個のＰＤＣＣＨの全てのデコーディングに成功した場合を例示する。端末＃０は、検出されたＰＤＣＣＨのうち、最大のＤＡＣＩ値３を持っているものの最小のＣＣＥインデックス４と相応するＰＵＣＣＨリソース４を通じてＨＡＲＱ−ＡＣＫ／ＮＡＣＫ情報を伝送する。
【０２８０】
図５２は、ＤＡＣＩ＝３の値を持つＤＣＩ３でデコーディングの失敗が生じた場合である。この場合、端末＃０は、検出されたＰＤＣＣＨのうち、ＤＡＣＩが最も大きい値２を持つＰＤＣＣＨの最小ＣＣＥインデックス０に相応するＰＵＣＣＨリソース０を通じてＨＡＲＱ−ＡＣＫ／ＮＡＣＫ情報を伝送する。そのため、基地局は、ＤＣＩ３に対してＤＴＸが発生したことがわかる。
【０２８１】
図５３は、それぞれのＤＬ ＣＣのためのＰＵＣＣＨリソースが部分的にオーバーラップ（ｐａｒｔｉａｌｌｙ  ｏｖｅｒｌａｐ）されている場合を例示する。ＰＵＣＣＨリソースが部分的にオーバーラップされている以外は、前述のものと同様である。
【０２８２】
次に、最後のＤＡＣＩ値のＤＴＸ問題を解決するための他の方式について説明する。具体的に、ＰＤＣＣＨカウンタ値を表すパラメータとＰＤＣＣＨの個数を表すパラメータとを共に用いることを提案する。
【０２８３】
例えば、ＤＡＣＩ０がＰＤＣＣＨのカウンタの役割を有するとすれば（例、３ビットの時に０〜７の範囲）、ＤＡＣＩ１は、割り当てられたＰＤＣＣＨ（またはＰＤＳＣＨ）の個数（例、３ビットの時に１〜８の範囲；０の個数は伝送する必要がない）を伝送することができる。例えば、４個のＰＤＣＣＨ伝送時に、各ＰＤＣＣＨ内に次のような情報を伝送することができる。
-  ＤＣＩ０：ＤＡＣＩ０＝０、ＤＡＣＩ１＝４
-  ＤＣＩ１：ＤＡＣＩ０＝１、ＤＡＣＩ１＝４
-  ＤＣＩ２：ＤＡＣＩ０＝２、ＤＡＣＩ１＝４
-  ＤＣＩ３：ＤＡＣＩ０＝３、ＤＡＣＩ１＝４
【０２８４】
ここで、ＤＡＣＩ１は、ＤＡＣＩ０と共にさらに定義することができる。あるいは、他の方法として、ＤＡＣＩ１値は、ＰＤＣＣＨのいずれか一つ以上に任意に伝送してもよい。あるいは、いずれか一つのＤＣＩがクロスキャリアスケジューリングが許容されないように制限されるとすれば、当該ＤＣＩのＣＩＦフィールドを、ＤＡＣＩ１値を運ぶのに用いることができる。あるいは、ＤＡＣＩ０及びＤＡＣＩ１等は、ＲＲＣシグナリングあるいはブロードキャスティングシグナリングを通じて伝送されてもよい。
【０２８５】
次に、最後のＤＡＣＩ値のＤＴＸ問題を解決するための他の解決方法として、ＲＲＣシグナリングを用いる方法を説明する。この例で、ＲＲＣシグナリングを通じて固有のＰＵＣＣＨリソースを特定端末に指定することができる。この時、ＰＵＣＣＨリソースは、複数の端末間に互いに共有されるリソースである、または、ＳＰＳやＡＣＫ／ＮＡＣＫ反復などのために割り当てられたリソースでよい。ここで、特定端末が、少なくとも一つ以上のＰＤＣＣＨでＤＴＸが発生すると、ＲＲＣから割り当てられたＰＵＣＣＨリソースを通じてＨＡＲＱ−ＡＣＫ／ＮＡＣＫ情報を伝送する。ＤＴＸが一つも発生しない場合に、端末は、暗黙的（ｉｍｐｌｉｃｉｔ）な方式で動的ＡＣＫ／ＮＡＣＫ動作を行う。これと逆に、ＤＴＸがない場合には、ＲＲＣで割り当てられたＰＵＣＣＨリソースを用いてＨＡＲＱ−ＡＣＫ／ＮＡＣＫ情報を伝送し、ＤＴＸが発生した場合には、暗黙的に動的ＡＣＫ／ＮＡＣＫ動作を行ってもよい。この場合、ＤＡＣＩ値は単純に伝送されるＰＤＣＣＨの個数でよい。ＤＡＣＩ値が単純にＰＤＣＣＨの個数を意味する場合には、正確にどのＰＤＣＣＨが損失されたかがわからず、ＤＴＸの発生の有無のみ把握することができる。動的ＡＣＫ／ＮＡＣＫ動作のための暗黙的規則は、最大のＣＣインデックスのうち、最大のＣＣＥインデックスを持つＰＤＣＣＨの最小ＣＣＥインデックス、最大のＣＣインデックスのうち、最小のＣＣＥインデックスを持つＰＤＣＣＨの最小ＣＣＥインデックス、最小のＣＣインデックスのうち、最小のＣＣＥインデックスを持つＰＤＣＣＨの最小ＣＣＥインデックス、あるいは、最小のＣＣインデックスのうち、最大のＣＣＥインデックスを持つＰＤＣＣＨの最小ＣＣＥインデックスに相応するＰＵＣＣＨリソースを用いて、ＨＡＲＱ−ＡＣＫ／ＮＡＣＫ情報を伝送することを指す。
【０２８６】
もし、ＤＡＣＩがカウンタと定義されると、上述の実施例で説明したように、最大のＤＡＣＩ値を持つＰＤＣＣＨの最小ＣＣＥインデックスにより暗黙的にマッピングされることが可能である。
【０２８７】
一例として、図５４は、暗黙的規則により、最大のＣＣインデックスのうち、最小のＣＣＥインデックスを持つＰＤＣＣＨの最小ＣＣＥインデックスによりＰＵＣＣＨリソースが定義され、全てのＰＤＣＣＨに対してＤＴＸが発生しない場合を示す。ＤＴＸが発生しなかったので、端末＃０は、検出されたＰＤＣＣＨのうち、ＤＡＣＩが最も大きいの値３を持つＰＤＣＣＨの最小ＣＣＥインデックス４に相応するＰＵＣＣＨリソース３４を通じてＨＡＲＱ−ＡＣＫ／ＮＡＣＫ情報を伝送する。ＨＡＲＱ−ＡＣＫ／ＮＡＣＫ情報は、全てのＰＤＳＣＨの制御情報に対してバンドリングされた情報でよい。
【０２８８】
図５５は、ＤＣＩ１でＤＴＸが発生した場合を例示する。端末＃０は、ＤＡＣＩ＝０、ＤＡＣＩ＝１、ＤＡＣＩ＝３のデコーディングに成功したので、ＤＡＣＩ＝２に相応するＤＣＩにＤＴＸがあることがわかる。ＤＴＸが発生したので、端末＃０は、ＲＲＣシグナリングされたＰＵＣＣＨリソース１００を通じてＨＡＲＱ−ＡＣＫ／ＮＡＣＫ情報を伝送する。ＨＡＲＱ−ＡＣＫ／ＮＡＣＫ情報は、全てのＰＤＳＣＨの制御情報に対してバンドリングされた情報でよい。
【０２８９】
図５６は、最後のＤＡＣＩ値を持つＰＤＣＣＨのデコーディングに失敗した場合を例示する。この場合、端末＃０は、ＤＡＣＩ＝３に相応するＤＣＩにＤＴＸがあるか否かがわからない。そのため、端末＃０はＤＴＸがないと考え、検出されたＰＤＣＣＨのうち、ＤＡＣＩが最も大きい値２を持つＰＤＣＣＨの最小ＣＣＥインデックス６に相応するＰＵＣＣＨリソース３６を通じてＨＡＲＱ−ＡＣＫ／ＮＡＣＫ情報を伝送する。一方、基地局は、最大のＤＡＣＩ値を持つＰＤＣＣＨであるＤＣＩ２に相応するＰＵＣＣＨリソース３４、あるいはＲＲＣシグナルされたＰＵＣＣＨリソース１００からＨＡＲＱ−ＡＣＫ／ＮＡＣＫ情報（結合された（ｃｏｍｂｉｎｅｄ）ＡＣＫ／ＮＡＣＫ）の受信を期待する。しかし、端末＃０は、ＤＣＩ３に相応するＰＵＣＣＨリソース３６を通じてＨＡＲＱ−ＡＣＫ／ＮＡＣＫ情報を伝送するので、基地局はＤＣＩ２でＤＴＸが発生したことがわかる。
【０２９０】
上述した方法は、互いに組み合わせで用いられてもよい。例えば、フォーマット適応（ａｄａｐｔａｔｉｏｎ）及びＤＴＸ検出のための方式（すなわち、最後のＤＡＣＩ値を乗せるＰＤＣＣＨのＣＣＥインデックスに相応すること、ＤＡＣＩ０とＤＡＣＩ１を共に伝送すること、ＲＲＣシグナリングを用いること）は組み合わされて用いられることが可能である。
【０２９１】
（実施例５）
図５７を参照して、ＤＦＴベースあるいはＰＵＳＣＨ形態の新規ＰＵＣＣＨフォーマットを、既存のＰＵＣＣＨフォーマット１／１ａ／１ｂと多重化する方式について説明する。ここで説明される新規ＰＵＣＣＨフォーマットは必ずしも特定フォーマットに限定されるものではなく、現在ＬＴＥに定義されている以外の全ての他の形態の伝送方法も含む。
【０２９２】
図５７は、ＬＴＥ ＰＵＣＣＨのためのＰＲＢが定義されており、ＬＴＥ−Ａ ＰＵＣＣＨのためのＰＲＢが定義されており、Ｍ個のＰＲＢが互いに異なるフォーマットにより共存する場合を仮定する。Ｍ個の共存地域は、リソースを浪費なく效率よく使用するために定義されるものでよく、特に、Ｍ＝１でよい。あるいは、従来のＬＴＥ ＰＵＣＣＨ領域をＬＴＥ−Ａ ＰＵＣＣＨフォーマットに置き換えるためにＭを複数の値に定義することができる。この時、ＰＵＣＣＨはＵＣＩのうちの一つ以上を伝送するための伝送形態でよい。ＰＵＣＣＨフォーマットの相互共存地域及びＰＲＢの個数は、上位層シグナリング（例、ＲＲＣ）を通じてオフセット値で設定されてもよく、ＬＴＥのリソースインデクシングをいずれかの規則に従ってＬＴＥ−Ａの新規ＰＵＣＣＨフォーマットリソースインデクシングに置き換える形態で暗黙的（ｉｍｐｌｉｃｉｔ）に指示されてもよい。
【０２９３】
ＰＵＣＣＨフォーマット１／１ａ／１ｂと新規ＰＵＣＣＨフォーマットがＭ個のＰＲＢに定義されるためには考慮されるべき事項がある。まず、ＰＵＣＣＨフォーマット１／１ａ／１ｂとＰＵＣＣＨフォーマット２の互いに異なるフォーマットが共存する場合は、既にＬＴＥで支援されている。しかし、他の形態のフォーマット（例、図２９等）がＰＵＣＣＨフォーマット１／１ａ／１ｂと共存するためには別の装置が必要である。
【０２９４】
例えば、便宜上、図２９の新規ＰＵＣＣＨフォーマットとＰＵＣＣＨフォーマット１／１ａ／１ｂが共存する場合を説明する。図２９の新規ＰＵＣＣＨフォーマットは、ＰＵＣＣＨフォーマット１／１ａ／１ｂと比較して巡回シフト領域のリソースがないので、これら２つのＰＵＣＣＨフォーマットは、互いに異なる直交カバーにより多重化可能である。一方、ＬＴＥは、ＳＣ−ＦＤＭＡシンボルレベルで適用される巡回シフト値が変わる巡回シフトホッピングを行う。すなわち、基本シーケンスと巡回シフトとが結合された最終シーケンスが、シンボル毎（ｓｙｍｂｏｌ−ｂｙ−ｓｙｍｂｏｌ）に変化する。一方、上述の実施例で例示した新規ＰＵＣＣＨフォーマットのＤＦＴプリコーディングされた周波数領域信号は、シンボル変換に相応する変化がない。しかし、新規ＰＵＣＣＨフォーマットがＰＵＣＣＨフォーマット１／１ａ／１ｂと共存するためには、同じ巡回シフトホッピングパターンを適用する必要がある。そうしないと、直交カバーの直交性が破壊し、互いに異なるＰＵＣＣＨフォーマットが共に多重化されることが不可能である。
【０２９５】
このような問題を解決するために、本実施例は、新規ＰＵＣＣＨフォーマット及び既存ＰＵＣＣＨフォーマットの多重化のために、新規ＰＵＣＣＨフォーマットにも巡回シフトを適用することを提案する。巡回シフトは、ＬＴＥのように。周波数領域で位相回転シーケンス（ｐｈａｓｅ  ｒｏｔａｔｉｏｎａｌ  ｓｅｑｕｅｎｃｅ）の形態で定義可能であるが、ＤＦＴプリコーダがある場合は、ＤＦＴ前の時間領域で定義されてもよい。
【０２９６】
式１８は、ＤＦＴプリコーディング前に時間領域で巡回シフトを適用する例を示す。
【０２９７】
【数８３】
0005973353.tif 000106
【０２９８】
ここで、
【数８４】
0005973353.tif 000107
は、時間領域で巡回シフトされるシンボル列を表す。
【数８５】
0005973353.tif 000108
またはその等価情報がＤＦＴプリコーダに入力される。
【数８６】
0005973353.tif 000109
は、（拡散された）変調シンボル列を表し、ＤＦＴプリコーディング前の時間領域信号である。ｉは、０，１，…，ＮL−１である。ＮLは、
【数８７】
0005973353.tif 000110
の長さ、ＤＦＴプリコーダのサイズ、あるいはＳＣ−ＦＤＭＡシンボル内で制御情報がマッピングされる副搬送波の個数に該当する。図２９Ａのように、制御情報がＳＣ−ＦＤＭＡシンボルの副搬送波に全てマッピングされる場合に、ＮＬ＝ＮSCである。ＮSCは、ＲＢ内の副搬送波の個数（例、１２個）を表す。
【数８８】
0005973353.tif 000111
は、巡回シフト値を表し、０〜ＮL−１の値を有する。
【０２９９】
式１９は、ＤＦＴプリコーディング後に周波数領域で巡回シフトを適用する例を示す。式１８及び式１９は、互いに等価である。
【０３００】
【数８９】
0005973353.tif 000112
【０３０１】
ここで、
【数９０】
0005973353.tif 000113
は、周波数領域で巡回シフトされる複素シンボル列を表す。
【数９１】
0005973353.tif 000114
またはその等価情報がＳＣ−ＦＤＭＡシンボルの副搬送波にマッピングされる。
【数９２】
0005973353.tif 000115
は、ＤＦＴプリコーダから出力された複素シンボル列またはその等価情報を表す周波数領域信号である。ｉは、０，１，…，ＮL−１である。ＮLは、
【数９３】
0005973353.tif 000116
の長さ、ＤＦＴプリコーダのサイズ、あるいはＳＣ−ＦＤＭＡシンボル内で制御情報がマッピングされる副搬送波の個数に該当する。図２９Ａのように、制御情報がＳＣ−ＦＤＭＡシンボルの副搬送波に全てマッピングされる場合に、ＮL＝ＮSCである。ＮSCは、ＲＢ内の副搬送波の個数（例、１２個）を表す。ｎCS,NEWは、巡回シフト値を表し、０〜ＮL−１の値を有する。
【０３０２】
新規ＰＵＣＣＨフォーマットのための巡回シフトは、ＬＴＥのように、スロット及び／またはＳＣ−ＦＤＭＡシンボルレベルでホッピング可能である。この場合、ｎCS,NEWはｎCS,NEW（ｌ）またはｎCS,NW（ｎs，ｌ）と定義できる。ここで、ｌは、ＳＣ−ＦＤＭＡシンボルインデックスを表し、ｎsは、スロットインデックスを表す。また、新規ＰＵＣＣＨフォーマットのための巡回シフトまたは巡回シフトホッピングパターンは、アンテナポート別に定義可能である。すなわち、ｎCS,NEWは、
【数９４】
0005973353.tif 000117
、
【数９５】
0005973353.tif 000118
または
【数９６】
0005973353.tif 000119
と定義できる。ここで、ｐは、アンテナポートを表す。新規ＰＵＣＣＨフォーマットのための巡回シフトホッピングパターン（例、
【数９７】
0005973353.tif 000120
または
【数９８】
0005973353.tif 000121
）は、通例的にセル特定パラメータから定義でき、ＬＴＥ ＰＵＣＣＨフォーマットで用いられるパターンと同じものを使用することができる。
【０３０３】
新規ＰＵＣＣＨフォーマットのための巡回シフトホッピングパターンは、ＲＳ以外の制御情報部分にのみ定義されることもあり、制御情報及びＲＳの両方に定義されることもある。すなわち、新規ＰＵＣＣＨフォーマットのための巡回シフトホッピングパターンは、ＬＴＥのように、ＳＣ−ＦＤＭＡシンボル別に定義され、かつ、新規ＰＵＣＣＨフォーマットの制御情報部分にのみ定義されたり、新規ＰＵＣＣＨフォーマット全体に適用されたりする。また、新規ＰＵＣＣＨフォーマットのための巡回シフト値は、暗黙的／明示的（ｉｍｐｌｉｃｉｔ／ｅｘｐｌｉｃｉｔ）にシグナリングされる。例えば、新規ＰＵＣＣＨフォーマットのための巡回シフト値は、ネットワークにより与えられたり、端末が暗黙的に類推したりする。もし、新規ＰＵＣＣＨフォーマットにＲＳが、ＬＴＥ ＰＵＣＣＨフォーマットのように、巡回シフト（ＣＳ）領域でも定義されると、当該ＲＳで用いられるＣＳと同一の値、あるいはその値から類推される（相応する）ＣＳ値を開始値として制御情報区間にＣＳホッピングを適用することができる。
【０３０４】
また、ＬＴＥは、直交カバー再マッピングをスロットレベルで定義している。この場合も同様、新規ＰＵＣＣＨフォーマットにおいて相互多重化のために同じ直交カバー再マッピングパターンを適用することができる。
【０３０５】
新規ＰＵＣＣＨフォーマットにおけるＣＳホッピングは、ＬＴＥのＰＵＣＣＨフォーマットで用いるパターンと同一でない場合にも有益である。以下、具体的な本発明の説明のために問題定義から再び説明する。
【０３０６】
まず、ＬＴＥでの定義の通り、基本シーケンスを基盤にして変調を行う場合には、信号があるかないかを、ＲＳシンボルと制御情報シンボルを共に用いて区別することができる。ＵＣＩがＡＣＫ／ＮＡＣＫ情報の場合に、信号のない状態は、ＨＡＲＱ動作上、全ての伝送ブロックに対するフィードバックがＤＴＸ状態（すなわち、ａｌｌ−ＤＴＸ状態）にある場合でよい。ＰＵＣＣＨフォーマット１／１ａ／１ｂを取り上げると、ＲＳ及び制御情報は独立したＯＣを通じて端末多重化を行うので、ＲＳシンボルと制御情報シンボルの内ではコヒーレントコンバイニング（ｃｏｈｅｒｅｎｔ  ｃｏｍｂｉｎｉｎｇ）を行い、ＲＳシンボルと制御情報シンボルとの間では非コヒーレントコンバイニング（ｎｏｎ−ｃｏｈｅｒｅｎｔ  ｃｏｍｂｉｎｉｎｇ）を行って得た最終の整合フィルタ出力（ｍａｔｃｈｅｄ  ｆｉｌｔｅｒ  ｏｕｔｐｕｔ）をａｌｌ−ＤＴＸ検出に用いることができる。しかし、一例として、図２９のような新規ＰＵＣＣＨフォーマット構造で、制御情報区間は、基本シーケンスに変調されないので、制御情報部分をａｌｌ−ＤＴＸ検出に用いる場合に、整合フィルタ出力はセル間干渉を平均化させることができない。すなわち、隣接セル間には同一のＯＣパターンを用いるので、整合フィルタ出力から隣接セル干渉が除去されず、必然的に誤認警報（ｆａｌｓｅ  ａｌａｒｍ）が増加する。
【０３０７】
本実施例は、上記問題を解決するために、制御情報区間にセル特定変化を与えることで、セル間干渉を除去できる方式をさらに提案する。この場合、セル間干渉が平均化するので、例えば、ａｌｌ−ＤＴＸ検出が容易になりうる。ここで、セル特定変化のための関数には、ＰＣＩ（Ｐｈｙｓｉｃａｌ  Ｃｅｌｌ  ＩＤ）をシード（ｓｅｅｄ）値とする変数を含むことができる。この例で、制御情報区間の変化は、セル特定変化に限定されない。ただし、技術的には、制御情報区間の変化要素が端末特定よりは、セル特定である方が、セル内でＣＤＭ／ＦＤＭで多重化されている端末間に直交性を保証し、セル間干渉に対して干渉ランダム化（ｉｎｔｅｒｆｅｒｅｎｃｅ  ｒａｎｄｏｍｉｚａｔｉｏｎ）を提供することができる。より具体的に、次のような一例を上げることができる。説明の容易のために、ＲＳシンボル構造は、ＬＴＥ ＰＵＣＣＨフォーマット１／１ａ／１ｂのような構造を用いると仮定する。また、制御情報部分には、ＵＥ−ＩＤ（例、Ｃ−ＲＮＴＩ）をシード値とするＰＮ生成器（例、ＬＴＥ  Ｇｏｌｄ  ｃｏｄｅ）により生成されたスクランブルコードを用いた変調が追加されたと仮定する。そもそも、端末特定スクランブルコードは、制御情報デコーディング時にセル間干渉ランダム化に目的がある。しかし、ａｌｌ−ＤＴＸ検出時には、ＯＣの適用された領域にコヒーレントコンバイニングを行い、副搬送波領域やＤＦＴ前の領域側には非コヒーレントコンバイニングを行うので、この場合、スクランブルは役に立たない。
【０３０８】
１）制御情報ＳＣ−ＦＤＭＡシンボルに（セル特定）ＣＳホッピングを適用することができる。
Ａ．もし、ＣＳホッピングがＬＴＥフォーマットと同じ場合には、上述した既存ＰＵＣＣＨフォーマットとの共存に対する長所がさらに獲得される。
Ｂ．ホッピングパターン生成器のシード値としてＳＣ−ＦＤＭＡシンボル番号／スロット番号／サブフレーム番号／システムフレーム番号を考慮することができる。
【０３０９】
２．制御情報ＳＣ−ＦＤＭＡシンボルに（セル特定）ＯＣパターンを適用することができる。
Ａ．セル特定オフセットに基づくＯＣリソース割当ができる。
Ｂ．セル特定ＯＣマトリクスパーミュテーションができる。
Ｃ．ホッピングパターン生成器のシード値としてＳＣ−ＦＤＭＡシンボル番号／スロット番号／サブフレーム番号／システムフレーム番号を考慮することができる。
【０３１０】
３．制御情報ＳＣ−ＦＤＭＡシンボルに、セル特定または端末特定スクランブル（ビットレベルまたは変調シンボルレベル）を適用することができる。スクランブルは、周波数領域＋時間領域、時間領域、またはＤＦＴ前／後に適用可能である。
Ａ．ＳＣ−ＦＤＭＡシンボルレベルでのセル特定スクランブル
Ｂ．ＳＣ−ＦＤＭＡシンボルレベル及び副搬送波レベルでのセル特定スクランブル
Ｃ．ＳＣ−ＦＤＭＡシンボルレベル及びＤＦＴ前レベルでのセル特定スクランブル
Ｄ．ホッピングパターン生成器のシード値としてＳＣ−ＦＤＭＡシンボル番号／スロット番号／サブフレーム番号／システムフレーム番号を考慮することができる。
【０３１１】
それぞれの場合について具体的に説明する。
【０３１２】
１）制御情報ＳＣ−ＦＤＭＡシンボルに（セル特定）ＣＳホッピング適用
【０３１３】
新規ＰＵＣＣＨフォーマットに対してＬＴＥ ＰＵＣＣＨフォーマットと同じパターンでＣＳホッピングを適用することができる。まず、ＬＴＥ ＰＵＣＣＨフォーマットに適用されるＣＳホッピングについて説明する。式２０は、ＬＴＥ ＰＵＣＣＨフォーマット１／１ａ／１ｂに適用されるＣＳホッピングを示す。式２１は、ＬＴＥ ＰＵＣＣＨフォーマット２／２ａ／２ｂに適用されるＣＳホッピングを示す。
【０３１４】
【数９９】
0005973353.tif 000122
【０３１５】
【数１００】
0005973353.tif 000123
【０３１６】
ここで、ｎoc（ｎs）は、直交シーケンスインデックスを表し、α（ｎs，ｌ）は、位相で示した巡回シフト値を表し、ｎcs（ｎs，ｌ）は、インデックスで示した巡回シフト値を表す。
【数１０１】
0005973353.tif 000124
は、セル特定巡回シフト値（インデックス）を表す。ｎsは、スロットインデックスを表し、ｌは、シンボルインデックスを表す。
【数１０２】
0005973353.tif 000125
は、ＲＢ内の副搬送波の個数を表す。各パラメータに対する詳細な事項は、３ＧＰＰ ＴＳ３６．２１１を参照すればよい。
【０３１７】
参考として、
【数１０３】
0005973353.tif 000126
は、下記の式により決定される。
【０３１８】
【数１０４】
0005973353.tif 000127
【０３１９】
ここで、
【数１０５】
0005973353.tif 000128
は、セル特定巡回シフト値であり、ｃ（）は、擬似ランダムシーケンス生成関数であり、
【数１０６】
0005973353.tif 000129
は、スロット内のＳＣ−ＦＤＭＡシンボルの個数であり、ｎsは、スロットインデックスであり、ｌは、ＳＣ−ＦＤＭＡシンボルインデックスである。
【０３２０】
一方、新規ＰＵＣＣＨフォーマットのＣＳホッピングを、ＬＴＥのＰＵＣＣＨフォーマットで用いるパターンと同一に定義しない場合に、新規ＰＵＣＣＨフォーマットのＣＳホッピングは、セル特定パターンでのみ変更されるように定義することができる。この場合、ＬＴＥ ＰＵＣＣＨフォーマットに用いられるセル特定巡回シフト値（インデックス）（
【数１０７】
0005973353.tif 000130
）を再利用することができる。
【０３２１】
式２３は、ＤＦＴプリコーディング前に時間領域で巡回シフトを適用する例を示す。
【０３２２】
【数１０８】
0005973353.tif 000131
【０３２３】
ここで、
【数１０９】
0005973353.tif 000132
、ｙt（ｉ）、ｉ及びＮLは、式１８で定義した通りであり、
【数１１０】
0005973353.tif 000133
は、式２２で定義した通りである。
【数１１１】
0005973353.tif 000134
は、アンテナポート別に定義可能である。
【０３２４】
式２４は、ＤＦＴプリコーディング後に周波数領域で巡回シフトを適用する例を示す。式２３及び式２４は、互いに等価である。
【０３２５】
【数１１２】
0005973353.tif 000135
【０３２６】
ここで、
【数１１３】
0005973353.tif 000136
、ｙf（ｉ）、ｉ及びＮLは、式１９で定義した通りであり、ｎcs（ｎs，ｌ）及びα（ｎs，ｌ）は、式２２で定義した通りである。
【数１１４】
0005973353.tif 000137
は、アンテナポート別に定義可能である。
【０３２７】
２）制御情報ＳＣ−ＦＤＭＡシンボルにセル特定ＯＣパターンを適用
【０３２８】
セルＡの端末＃０とセルＢの端末＃１がそれぞれＯＣインデックス０、１を用いると仮定し、ＯＣインデックスの個数は４であると仮定する。この時、２０スロットのＯＣパターンがセルＡとセルＢのユーザに対してそれぞれ次の通りであるとする。
−セルＡ：２１３２３１０３４１３１０３２３１３０３
−セルＢ：２３０００２０１０３０２０１００１１２１
【０３２９】
最終的に適用されるＯＣインデックスは、例えば、次の通りである：（割り当てられたＯＣインデックス＋ホッピングパターン）ｍｏｄ（ＯＣの個数）
−セルＡ：２１３２３１０３４１３１０３２３１３０３
−セルＢ：３０１１１３１２１０１３１２１１２２３２
【０３３０】
３）制御情報ＳＣ−ＦＤＭＡシンボルにセル特定スクランブル
【０３３１】
図２９を参照して、端末＃０に対する拡散コード（または直交カバーコード）が［ｗ０ ｗ１ ｗ２ ｗ３］である場合に、セル特定複素スクランブルコードを［ｃ０ ｃ１ ｃ２ ｃ３］のように定義することができる。この場合、ＳＣ−ＦＤＭＡシンボルレベルのスクランブルを、［ｃ０＊ｗ０ ｃ１＊ｗ１ ｃ２＊ｗ２ ｃ３＊ｗ３］のように適用することができる。便宜上、スクランブルコードは、複素値（例、１または−１）で定義しているが、ビットレベルで等価的に定義すことができる。例えば、複素値レベルで１はビットレベルの０と等価であり、−１はビットレベル１と等価でよい。また、複素レベルの乗算は、ＸＯＲまたはモジュロ演算を通じて等価的に具現することができる。
【０３３２】
ＳＣ−ＦＤＭＡシンボルレベルスクランブルの他に、周波数領域でスクランブルをさらに行うこともできる。すなわち、スクランブルコードをｃ(ｋ，ｎ)（ここで、ｋは周波数インデックス、ｎは制御情報シンボルインデックス）とした時に、ｄ(ｋ)＊ｃ(ｋ，ｎ)＊ｗ(ｎ)のようにスクランブルを行うことができる。ここで、ｄ(ｋ）は、ＤＦＴプリコーディングされたシンボルで、それぞれのＳＣ−ＦＤＭＡシンボルにマッピングされる信号であり、ｗ(ｎ)は、拡散コード（または直交カバーコード）である。
【０３３３】
図５８は、ａｌｌ−ＤＴＸ検出時に、ＲＳのみを用いた場合と、ＲＳ及び制御情報を共に用いた場合における結果を示す。制御情報も共に用いた場合に、最終的な誤検出性能は、そうでない場合に比べて約２ｄＢ改善した。
【０３３４】
図５９には、本発明に一実施例に適用されうる基地局及び端末を例示する。
【０３３５】
図５９を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリ１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリ１２４及びＲＦユニット１２６を含む。プロセッサ１２２は、本発明で提案した手順及び／または方法を具現するように構成することができる。メモリ１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１２０は、単一アンテナまたは多重アンテナを有することができる。
【０３３６】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０３３７】
本明細書で、本発明の実施例は、端末と基地局との間のデータ送受信関係を中心に説明されている。このような送受信関係は、端末とリレーとの間、または基地局とリレーとの間の信号送受信にも同一／類似に拡張される。本明細書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０３３８】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどにより具現することができる。
【０３３９】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０３４０】
本発明は、本発明の特徴を逸脱しない範囲で別の特定の形態に具体化可能であるということは、当業者にとっては自明である。したがって、上述の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０３４１】
本発明は、無線移動通信システムにおける端末機、基地局、またはその他の装備に適用可能である。特に、本発明は、アップリンク制御情報を伝送する方法及びそのための装置に適用可能である。
【図１】
0005973353.tif 000144
【図２】
0005973353.tif 000145
【図３】
0005973353.tif 000146
【図４】
0005973353.tif 000147
【図５】
0005973353.tif 000148
【図６】
0005973353.tif 000149
【図７】
0005973353.tif 000150
【図８】
0005973353.tif 000151
【図９】
0005973353.tif 000152
【図１０】
0005973353.tif 000153
【図１１】
0005973353.tif 000154
【図１２Ａ】
0005973353.tif 000155
【図１２Ｂ】
0005973353.tif 000156
【図１３】
0005973353.tif 000157
【図１４】
0005973353.tif 000158
【図１５】
0005973353.tif 000159
【図１６】
0005973353.tif 000160
【図１７】
0005973353.tif 000161
【図１８】
0005973353.tif 000162
【図１９】
0005973353.tif 000163
【図２０】
0005973353.tif 000164
【図２１】
0005973353.tif 000165
【図２２】
0005973353.tif 000166
【図２３】
0005973353.tif 000167
【図２４】
0005973353.tif 000168
【図２５】
0005973353.tif 000169
【図２６】
0005973353.tif 000170
【図２７】
0005973353.tif 000171
【図２８】
0005973353.tif 000172
【図２９Ａ】
0005973353.tif 000173
【図２９Ｂ】
0005973353.tif 000174
【図２９Ｃ】
0005973353.tif 000175
【図２９Ｄ】
0005973353.tif 000176
【図２９Ｅ】
0005973353.tif 000177
【図２９Ｆ】
0005973353.tif 000178
【図３０】
0005973353.tif 000179
【図３１】
0005973353.tif 000180
【図３２】
0005973353.tif 000181
【図３３】
0005973353.tif 000182
【図３４】
0005973353.tif 000183
【図３５Ａ】
0005973353.tif 000184
【図３５Ｂ】
0005973353.tif 000185
【図３６Ａ】
0005973353.tif 000186
【図３６Ｂ】
0005973353.tif 000187
【図３７Ａ】
0005973353.tif 000188
【図３７Ｂ】
0005973353.tif 000189
【図３８Ａ】
0005973353.tif 000190
【図３８Ｂ】
0005973353.tif 000191
【図３９Ａ】
0005973353.tif 000192
【図３９Ｂ】
0005973353.tif 000193
【図４０Ａ】
0005973353.tif 000194
【図４０Ｂ】
0005973353.tif 000195
【図４１】
0005973353.tif 000196
【図４２Ａ】
0005973353.tif 000197
【図４２Ｂ】
0005973353.tif 000198
【図４２Ｃ】
0005973353.tif 000199
【図４２Ｄ】
0005973353.tif 000200
【図４２Ｅ】
0005973353.tif 000201
【図４２Ｆ】
0005973353.tif 000202
【図４３Ａ】
0005973353.tif 000203
【図４３Ｂ】
0005973353.tif 000204
【図４３Ｃ】
0005973353.tif 000205
【図４４】
0005973353.tif 000206
【図４５】
0005973353.tif 000207
【図４６】
0005973353.tif 000208
【図４７】
0005973353.tif 000209
【図４８】
0005973353.tif 000210
【図４９】
0005973353.tif 000211
【図５０】
0005973353.tif 000212
【図５１】
0005973353.tif 000213
【図５２】
0005973353.tif 000214
【図５３】
0005973353.tif 000215
【図５４】
0005973353.tif 000216
【図５５】
0005973353.tif 000217
【図５６】
0005973353.tif 000218
【図５７】
0005973353.tif 000219
【図５８】
0005973353.tif 000220
【図５９】
0005973353.tif 000221